(57)【要約】  リソース区分を使用したセル間干渉協調を可能にするためのシステムおよび方法について説明する。ＵＥが、受信干渉および／または将来のスケジューリングに関係する情報を受信または判断し得る。その情報はサービング基地局に通信され得、サービング基地局は、その情報を使用してセル間でアップリンクまたはダウンリンクリソースを割り振り得る。アップリンクおよび／またはダウンリンクリソースは、隣接ネットワークノードからの干渉を緩和するためにサブバンドで区分され得る。ｅＮＢは、干渉協調およびシグナリングを構成するために、直接、バックホール接続を介して、および／またはＵＥ間などで通信し得る。
2013517741.tif 000002
【特許請求の範囲】
【請求項１】
ワイヤレス通信システムにおける干渉緩和のための方法であって、前記方法は、
サービングセルとネイバーセルとのうちの少なくとも１つに適用可能な干渉情報を判断することと、
前記干渉情報に少なくとも部分的に基づいて前記サービングセル内の信号送信をスケジュールすることと
を備え、
前記干渉情報が、
前記サービングセル中のサービング基地局において経験されるアップリンク干渉の量に対応する干渉値と、
前記ネイバーセルから１つまたは複数のダウンリンク信号を送信する際に使用されるべきリソースと
のうちの少なくとも１つに関係する、
方法。
【請求項２】
前記干渉値をターゲット値と比較することと、
前記比較することに基づいて、前記近隣セル中の１つまたは複数のデバイスに少なくとも１つの負荷インジケータ（ＬＩ）信号を通信することと
をさらに備える、請求項１に記載の方法。
【請求項３】
前記少なくとも１つの負荷インジケータ信号が、無線（ＯＴＡ）シグナリングを使用して前記近隣セルに通信される、請求項２に記載の方法。
【請求項４】
被サービスＵＥから送信電力メトリックを受信することをさらに備え、前記スケジュールすることが、前記送信電力メトリックに少なくとも部分的に基づいて、前記被サービスＵＥのためのアップリンクスケジューリング割当てを生成することを含む、請求項１に記載の方法。
【請求項５】
前記近隣セル中の１つまたは複数のノードにリソース区分要求を通信することをさらに備える、請求項１に記載の方法。
【請求項６】
リソース区分応答を受信することをさらに備える、請求項５に記載の方法。
【請求項７】
前記リソース区分要求が、前記サービングセルと前記近隣セルとの間のアップリンクサブバンド区分に関係する、請求項５に記載の方法。
【請求項８】
前記スケジュールすることが、前記サービングセルと前記ネイバーセルとの間のアップリンク通信リソースの区分に部分的に基づく、請求項１に記載の方法。
【請求項９】
前記区分があらかじめ判断され、前記サービングセルと前記ネイバーセルとに通信される、請求項８に記載の方法。
【請求項１０】
前記区分が、前記サービングセル中の被サービスユーザ端末から与えられた情報に基づいて動的に判断される、請求項８に記載の方法。
【請求項１１】
前記区分が、前記サービングセルと前記ネイバーセルとの間でネゴシエートされる、請求項８に記載の方法。
【請求項１２】
前記干渉情報が、前記サービングセル中でサービスされるユーザ端末において経験されるダウンリンク干渉の予想される量に関係する、請求項１に記載の方法。
【請求項１３】
前記干渉情報が、前記ネイバーセルの１つまたは複数のサブバンドにおける将来の送信に関連する相対狭帯域送信電力（ＲＮＴＰ）情報に関係する、請求項１に記載の方法。
【請求項１４】
前記ＲＮＴＰ情報が、無線（ＯＴＡ）シグナリングを使用して前記近隣セルから送られる、請求項１に記載の方法。
【請求項１５】
被サービスＵＥから調整されたチャネル状態情報（ＣＳＩ）を受信することをさらに備え、前記スケジュールすることが、前記調整されたＣＳＩに少なくとも部分的に基づいて、前記サービング基地局のためのダウンリンクスケジュールを生成することを含む、請求項１に記載の方法。
【請求項１６】
前記ダウンリンクスケジュールが、前記サービングセルと前記ネイバーセルとの間のサブバンドリソース区分に基づく、請求項１５に記載の方法。
【請求項１７】
前記近隣セル中の１つまたは複数のノードにリソース区分要求を通信することをさらに備える、請求項１に記載の方法。
【請求項１８】
リソース区分応答を受信することをさらに備える、請求項１７に記載の方法。
【請求項１９】
前記リソース区分要求が、前記サービングセルと前記近隣セルとの間の提案されたダウンリンクサブバンド区分に関係する、請求項１７に記載の方法。
【請求項２０】
前記スケジュールすることが、前記サービングセルと前記近隣セルとの間のダウンリンク通信リソースのネゴシエートされた区分に部分的に基づく、請求項１６に記載の方法。
【請求項２１】
前記区分があらかじめ判断され、前記サービングセルと前記ネイバーセルとに通信される、請求項１６に記載の方法。
【請求項２２】
前記区分が、前記サービングセル中の被サービスユーザ端末から与えられた情報に基づいて動的に判断される、請求項１６に記載の方法。
【請求項２３】
前記区分が、前記サービングセルと前記ネイバーセルとの間でネゴシエートされる、請求項１６に記載の方法。
【請求項２４】
前記干渉情報が、前記ネイバーセルの１つまたは複数のサブバンドにおける将来の送信に関連するアンテナ毎電力情報に関係する、請求項１に記載の方法。
【請求項２５】
前記干渉情報が、前記ネイバーセルの１つまたは複数のサブバンドにおける将来の送信に関連するアンテナ毎位相オフセット情報に関係する、請求項１に記載の方法。
【請求項２６】
サービングセルとネイバーセルとのうちの少なくとも１つに適用可能な干渉情報を判断することと、
前記干渉情報に少なくとも部分的に基づいて前記サービングセル内の信号送信をスケジュールすることと
をコンピュータに行わせるためのコードを含むコンピュータ可読媒体を備え、
前記干渉情報が、前記サービングセル中のサービング基地局において経験されるアップリンク干渉の量に対応する干渉値と、前記ネイバーセルから１つまたは複数のダウンリンク信号を送信する際に使用されるべきリソースとのうちの１つに関係する、
コンピュータプログラム製品。
【請求項２７】
サービングセルとネイバーセルとのうちの少なくとも１つに適用可能な干渉情報を判断することと、
前記干渉情報に少なくとも部分的に基づいて前記サービングセル内の信号送信をスケジュールすることと
を行うように構成されたプロセッサモジュール
を備え、
前記干渉情報が、前記サービングセル中のサービング基地局において経験されるアップリンク干渉の量に対応する干渉値と、前記ネイバーセルから１つまたは複数のダウンリンク信号を送信する際に使用されるべきリソースとのうちの少なくとも１つに関係する、
通信デバイス。
【請求項２８】
サービングセルとネイバーセルとのうちの少なくとも１つに適用可能な干渉情報を判断するための手段と、
前記干渉情報に少なくとも部分的に基づいて前記サービングセル内の信号送信をスケジュールするための手段と
を備え、
前記干渉情報が、前記サービングセル中のサービング基地局において経験されるアップリンク干渉の量に対応する干渉値と、前記ネイバーセルから１つまたは複数のダウンリンク信号を送信する際に使用されるべきリソースとのうちの少なくとも１つに関係する、
通信デバイス。
【請求項２９】
ワイヤレス通信システムにおける干渉緩和のための方法であって、前記方法は、
１つまたは複数のダウンリンクサブバンドリソースの計画された将来の使用を定義するデータを含む将来スケジューリング情報（ＦＳＩ）を判断することと、
前記ＦＳＩを送ることと、
共通基準信号（ＣＲＳ）に対する固定オフセットで制御シグナリングを送ることと
を備える、方法。
【請求項３０】
前記ＦＳＩがＲＮＴＰ情報を備える、請求項２９に記載の方法。
【請求項３１】
前記ＦＳＩがアンテナ毎電力情報を備える、請求項２９に記載の方法。
【請求項３２】
前記ＦＳＩがアンテナ毎位相オフセット情報を備える、請求項２９に記載の方法。
【請求項３３】
前記制御シグナリングが、ＰＤＣＣＨと、ＰＨＩＣＨと、ＰＣＦＣＨとのうちの１つまたは複数を含む、請求項２９に記載の方法。
【請求項３４】
前記制御シグナリングが物理ダウンリンク制御チャネル（ＰＤＣＣＨ）シグナリングであり、前記固定オフセットが、前記ＣＲＳに対するあらかじめ判断された固定電力オフセットを含む、請求項２９に記載の方法。
【請求項３５】
前記固定オフセットがあらかじめ定義される、請求項２９に記載の方法。
【請求項３６】
前記固定オフセットが動的に判断される、請求項２９に記載の方法。
【請求項３７】
１つまたは複数のダウンリンクサブバンドリソースの計画された将来の使用を定義するデータを含む将来スケジューリング情報（ＦＳＩ）を判断することと、
前記ＦＳＩを送ることと、
共通基準信号（ＣＲＳ）に対する固定オフセットで制御シグナリングを送ることと
をコンピュータに行わせるためのコードを含むコンピュータ可読媒体を備えるコンピュータプログラム製品。
【請求項３８】
１つまたは複数のダウンリンクサブバンドリソースの計画された将来の使用を定義するデータを含む将来スケジューリング情報（ＦＳＩ）を判断すること
を行うように構成されたプロセッサモジュールと、
前記ＦＳＩを送ることと、
共通基準信号（ＣＲＳ）に対する固定オフセットで制御シグナリングを送ることと
を行うように構成された送信機モジュールと
を備える、通信デバイス。
【請求項３９】
１つまたは複数のダウンリンクサブバンドリソースの計画された将来の使用を定義するデータを含む将来スケジューリング情報（ＦＳＩ）を判断するための手段と、
前記ＦＳＩを送るための手段と、
共通基準信号（ＣＲＳ）に対する固定オフセットで制御シグナリングを送るための手段と
を備える、通信デバイス。
【請求項４０】
マルチセル環境における干渉緩和を可能にするための方法であって、前記方法は、
干渉情報を受信することと、
前記干渉情報に少なくとも部分的に基づいてパラメータを判断することと、
前記パラメータを前記サービングセルのサービングネットワークノードに送信することと
を備え、
前記干渉情報が、
少なくとも１つのネイバーセルからの信号送信と、
サービングセルにおけるアップリンク干渉と、
前記サービングセルによってサービスされるユーザ端末におけるダウンリンク干渉と
のうちの少なくとも１つに関係する、
方法。
【請求項４１】
前記干渉情報が１つまたは複数の負荷インジケータ（ＬＩ）信号に関係し、前記受信することが、前記１つまたは複数の負荷インジケータ信号を、１つまたは複数のネイバーセル中で動作する対応する１つまたは複数のネットワークノードから受信することを含む、請求項４０に記載の方法。
【請求項４２】
前記パラメータが送信電力メトリックを備え、前記判断することが、前記１つまたは複数の負荷インジケータ信号に少なくとも部分的に基づいて前記送信電力メトリックを判断することを含む、請求項４０に記載の方法。
【請求項４３】
前記干渉情報が、１つまたは複数のサブバンドにおける計画された将来のダウンリンク送信に関する情報を含む将来スケジューリング情報（ＦＳＩ）に関係する、請求項４０に記載の方法。
【請求項４４】
前記ＦＳＩが、前記ネイバーセル中の計画されたダウンリンク送信に関係するＲＮＴＰ情報を備える、請求項４３に記載の方法。
【請求項４５】
前記ＦＳＩが、前記ネイバーセル中の計画されたダウンリンク送信に関係するアンテナ毎電力情報を備える、請求項４３に記載の方法。
【請求項４６】
前記ＦＳＩが、前記ネイバーセル中の計画されたダウンリンク送信に関係するアンテナ毎位相オフセット情報を備える、請求項４３に記載の方法。
【請求項４７】
前記パラメータが、調整されたチャネル状態情報（ＣＳＩ）を備える、請求項４０に記載の方法。
【請求項４８】
前記調整されたＣＳＩが、前記ＦＳＩに少なくとも部分的に基づいて調整されたＣＱＩ情報を含む、請求項４７に記載の方法。
【請求項４９】
前記調整されたＣＳＩが、ＣＱＩと、ＰＭＩと、ＲＩとのうちの１つまたは複数を備える、請求項４７に記載の方法。
【請求項５０】
干渉情報を受信することと、
前記干渉情報に少なくとも部分的に基づいてパラメータを判断することと、
前記パラメータを前記サービングセルのサービングネットワークノードに送ることと
をコンピュータに行わせるためのコードを含むコンピュータ可読媒体を備え、
前記干渉情報が、少なくとも１つのネイバーセルからの信号送信と、サービングセルにおけるアップリンク干渉と、前記サービングセルによってサービスされるユーザ端末におけるダウンリンク干渉とのうちの少なくとも１つに関係する、
コンピュータプログラム製品。
【請求項５１】
干渉情報を受信するように構成された受信機モジュールと、
前記干渉情報に少なくとも部分的に基づいてパラメータを判断するように構成されたプロセッサモジュールと、
前記パラメータを前記サービングセルのサービングネットワークノードに送るように構成された送信機モジュールと
を備え、
前記干渉情報が、少なくとも１つのネイバーセルからの信号送信と、サービングセルにおけるアップリンク干渉と、前記サービングセルによってサービスされるユーザ端末におけるダウンリンク干渉とのうちの少なくとも１つに関係する、
通信デバイス。
【請求項５２】
干渉情報を受信するための手段と、
前記干渉情報に少なくとも部分的に基づいてパラメータを判断するための手段と、
前記パラメータを前記サービングセルのサービングネットワークノードに送るための手段と
を備え、
前記干渉情報が、少なくとも１つのネイバーセルからの信号送信と、サービングセルにおけるアップリンク干渉と、前記サービングセルによってサービスされるユーザ端末におけるダウンリンク干渉とのうちの少なくとも１つに関係する、
通信デバイス。
【発明の詳細な説明】
【優先権の主張】
【０００１】
関連出願の相互参照
本出願は、すべての目的のためにその内容全体が参照により本明細書に組み込まれる、２０１０年１月１８日に出願されたMETHOD AND APPARATUS FOR FACILITATING INTER-CELL INTERFERENCE COORDINATION VIA OVER THE AIR LOAD INDICATOR AND RELATIVE NARROWBAND TRANSMIT POWERと題する米国仮特許出願第６１／２９５，８２８号の米国特許法第１１９条（ｅ）項に基づく優先権を主張する。
【技術分野】
【０００２】
本出願は、一般にワイヤレス通信システムを対象とする。より詳細には、限定はしないが、本出願は、ＬＴＥシステムなどのワイヤレス通信システムにおけるセル間干渉協調（ＩＣＩＣ）と関連するスケジューリングとを可能にするために無線（ＯＴＡ）負荷指示情報と相対狭帯域送信電力（ＲＮＴＰ）情報とを与えるための方法、装置、およびシステムに関する。
【背景技術】
【０００３】
ワイヤレス通信システムは、ボイス、データ、ビデオなど、様々なタイプの通信コンテンツを提供するために広く展開されており、Ｌｏｎｇ  Ｔｅｒｍ  Ｅｖｏｌｕｔｉｏｎ（ＬＴＥ）システムなどの新しいデータ指向システムの導入とともに展開が増加する可能性がある。ワイヤレス通信システムは、利用可能なシステムリソース（たとえば、帯域幅および送信電力）を共有することによって複数のユーザとの通信をサポートすることが可能な多元接続システムであり得る。そのような多元接続システムの例には、符号分割多元接続（ＣＤＭＡ）システム、時分割多元接続（ＴＤＭＡ）システム、周波数分割多元接続（ＦＤＭＡ）システム、３ＧＰＰ  Ｌｏｎｇ  Ｔｅｒｍ  Ｅｖｏｌｕｔｉｏｎ（ＬＴＥ）システム、および他の直交周波数分割多元接続（ＯＦＤＭＡ）システムがある。
【０００４】
概して、ワイヤレス多元接続通信システムは、複数のワイヤレス端末（ユーザ機器（ＵＥ）、またはアクセス端末（ＡＴ）としても知られる）のための通信を同時にサポートすることができる。各端末は、順方向およびアップリンク上での送信によって１つまたは複数の基地局（アクセスポイント（ＡＰ）、ｅノードＢまたはｅＮＢとしても知られる）と通信する。順方向リンク（ダウンリンクまたはＤＬとも呼ばれる）は基地局から端末への通信リンクを指し、アップリンク（逆方向リンクまたはＵＬとも呼ばれる）は端末から基地局への通信リンクを指す。
【０００５】
基地局ノードは、拡張ノードＢまたはｅＮＢとも呼ばれることがあり、ネットワークにおける展開に関して異なる能力を有する。これは、送信電力クラス、アクセス制限などを含む。一態様では、異種ネットワーク特性により、ワイヤレスカバレージデッドスポット（たとえば、ドーナツ状のカバレージホール）が生じることがある。これにより、ひどいセル間干渉が生じ、望ましくないユーザ機器セル関連付けが必要になることがある。概して、異種ネットワーク特性により、物理チャネルの深い浸透が必要となるので、それぞれのネットワーク上でノードと機器との間に不要な干渉が生じることがある。
【０００６】
展開される移動局の数が増加するにつれて、適切な帯域幅利用の必要がより重要になる。その上、ＬＴＥなどのシステムにおいてフェムトセルなどの小さいセルを管理するための半自律型（semiautonomous）基地局の導入とともに、既存の基地局との干渉が一層問題になり得る。
【発明の概要】
【０００７】
ＬＴＥシステムなどのワイヤレス通信システムにおいてアクセス端末（ＡＴ）またはユーザ機器（ＵＥ）によって実行される、本開示の様々な態様は、隣接または近隣セル中にあり得る周囲の送信機についての干渉および経路損失の判断に関する。これらの判断は、ネットワーク基地局の識別、ハンドオフ判断の実行、ネットワークセル間の干渉の管理、あるいは他のネットワーク間またはＩＣＩＣ機能において採用され得る。様々な状態（たとえば、現在のネットワーク負荷、主要なワイヤレス状態、チャネル品質、１つまたは複数のワイヤレスリンク上の経路損失など）に応じて、近隣セルと関連する基地局とに対する干渉を緩和する方法で、特定のリソース上でおよび／または特定の送信電力でＵＥ送信をスケジュールすることが望ましいことがある。
【０００８】
スケジューリングを制御するために、隣接または近隣セル中のＵＥおよび／または他のワイヤレスノードに無線（ＯＴＡ）負荷指示シグナリングを与えることが望ましいことがある。ＵＥは、この情報、および／または追加情報を使用して、ｅＮＢなどのサービング基地局に報告され得る送信電力メトリックを判断し得る。さらに、様々な態様では、干渉対熱雑音（ＩｏＴ）を最小限に抑え、ワイヤレス通信のためのデータスループットを最大にすることが望ましいことがある。
【０００９】
本開示は、概して、リソース区分を可能にするために負荷指示（ＬＩ）情報および／または相対狭帯域送信電力（ＲＮＴＰ）情報を使用したワイヤレス通信システムにおけるセル間干渉協調（ＩＣＩＣ）を対象とする。
【００１０】
たとえば、一態様では、本開示は、ワイヤレス通信システムにおける干渉緩和のための方法に関する。本方法は、たとえば、サービングセルとネイバーセルとのうちの少なくとも１つに適用可能な干渉情報を判断することを含み得る。本方法は、干渉情報に少なくとも部分的に基づいてサービングセル内の信号送信をスケジュールすることをさらに含み得る。
【００１１】
干渉情報は、たとえば、サービングセル中のサービング基地局において経験されるアップリンク干渉の量に対応する干渉値を含み得る。本方法は、干渉値をターゲット値と比較することと、比較することに基づいて、近隣セル中の１つまたは複数のデバイスに少なくとも１つの負荷インジケータ（ＬＩ）信号を通信することとをさらに含み得る。少なくとも１つの負荷インジケータ信号は、無線（ＯＴＡ）シグナリングを使用して近隣セルに通信され得る。
【００１２】
本方法は、たとえば、被サービスＵＥから送信電力メトリックを受信することをさらに含み得る。上記スケジュールすることは、送信電力メトリックに少なくとも部分的に基づいて、被サービスＵＥのためのアップリンクスケジューリング割当てを生成することをさらに含み得る。本方法は、近隣セル中の１つまたは複数のノードにリソース区分要求を通信することをさらに含み得る。本方法は、リソース区分応答を受信することをさらに含み得る。リソース区分要求は、サービングセルと近隣セルとの間のアップリンクサブバンド区分に関係し得る。
【００１３】
上記スケジュールすることは、たとえば、サービングセルとネイバーセルとの間のアップリンク通信リソースの区分に基づき得る。上記区分はあらかじめ判断され、サービングセルとネイバーセルとに通信され得る。代替または追加として、上記区分は、サービングセル中の被サービスユーザ端末から与えられた情報に基づいて動的に判断され得る。代替または追加として、上記区分は、サービングセルとネイバーセルとの間でネゴシエートされ得る。
【００１４】
干渉情報は、たとえば、ネイバーセルからの１つまたは複数のダウンリンク信号の送信において使用されるべきリソースに関係し得る。干渉情報は、サービングセル中でサービスされるユーザ端末において経験されるダウンリンク干渉の予想される量に関係し得る。干渉情報は、たとえば、ネイバーセルの１つまたは複数のサブバンドにおける将来の送信に関連する相対狭帯域送信電力（ＲＮＴＰ）情報、ネイバーセルの１つまたは複数のサブバンドにおける将来の送信に関連するアンテナ毎電力情報、ネイバーセルの１つまたは複数のサブバンドにおける将来の送信に関連するアンテナ毎位相または位相オフセット情報、および／あるいはネイバーセルからの将来の送信に関係する他の情報に関係し得る。干渉情報は、無線（ＯＴＡ）シグナリングを使用して近隣セルから送られ得る。
【００１５】
本方法は、たとえば、被サービスＵＥから調整されたチャネル状態情報（ＣＳＩ）を受信することをさらに含み得る。上記スケジュールすることは、調整されたＣＳＩに少なくとも部分的に基づいて、サービング基地局のためのダウンリンクスケジュールを生成することを含み得る。ダウンリンクスケジュールは、サービングセルとネイバーセルとの間のサブバンドリソース区分に基づき得る。
【００１６】
本方法は、たとえば、近隣セル中の１つまたは複数のノードにリソース区分要求を通信することをさらに含み得る。本方法は、リソース区分応答を受信することをさらに含み得る。リソース区分要求は、サービングセルと近隣セルとの間の提案されたダウンリンクサブバンド区分に関係し得る。
【００１７】
上記スケジュールすることは、たとえば、サービングセルと近隣セルとの間のダウンリンク通信リソースのネゴシエートされた区分に部分的に基づき得る。上記区分はあらかじめ判断され、サービングセルとネイバーセルとに通信され得る。代替または追加として、上記区分はあらかじめ判断され、サービングセルとネイバーセルとに通信される。代替または追加として、上記区分は、サービングセル中の被サービスユーザ端末から与えられた情報に基づいて動的に判断され得る。代替または追加として、上記区分は、サービングセルとネイバーセルとの間でネゴシエートされ得る。
【００１８】
別の態様では、本開示は、ワイヤレス通信システムにおける干渉緩和のための方法に関する。本方法は、たとえば、１つまたは複数のダウンリンクサブバンドリソースの計画された将来の使用を定義するデータを含む将来スケジューリング情報（ＦＳＩ）を判断することを含み得る。本方法は、ＦＳＩを送ることをさらに含み得る。本方法は、制御シグナリングを送ることをさらに含み得る。制御シグナリングは、共通基準信号（ＣＲＳ）に対する固定オフセットで行われ得る。
【００１９】
ＦＳＩは、たとえば、ＲＮＴＰ情報を含み得る。ＲＮＴＰ情報はＲＮＴＰビットマップであり得る。制御シグナリングは、ＰＤＣＣＨと、ＰＨＩＣＨと、ＰＣＦＣＨとのうちの１つまたは複数を含み得る。制御シグナリングは物理ダウンリンク制御チャネル（ＰＤＣＣＨ）シグナリングであり得る。固定オフセットは、ＣＲＳに対するあらかじめ判断された固定電力オフセットを含み得る。固定オフセットはあらかじめ定義される。代替または追加として、固定オフセットは動的に判断され得る。
【００２０】
別の態様では、本開示は、マルチセル環境における干渉緩和を可能にするための方法に関する。本方法は、たとえば、干渉情報を受信することを含み得る。本方法は、干渉情報に少なくとも部分的に基づいてパラメータを判断することと、上記パラメータをサービングセルのサービングネットワークノードに送信することとをさらに含み得る。
【００２１】
干渉情報は、たとえば、少なくとも１つのネイバーセルからの信号送信に関係し得る。干渉情報は、サービングセルにおけるアップリンク干渉に関係し得る。干渉情報は、１つまたは複数の負荷インジケータ（ＬＩ）信号に関係し得る。上記受信することは、たとえば、１つまたは複数の負荷インジケータ信号を、１つまたは複数のネイバーセル中で動作する対応する１つまたは複数のネットワークノードから受信することを含み得る。
【００２２】
上記パラメータは、たとえば、送信電力メトリックを含み得る。上記判断することは、たとえば、１つまたは複数の負荷インジケータ信号に少なくとも部分的に基づいて送信電力メトリックを判断することを含み得る。
【００２３】
干渉情報は、たとえば、サービングセルによってサービスされるユーザ端末におけるダウンリンク干渉に関係し得る。干渉情報は、１つまたは複数のサブバンドにおける計画された将来のダウンリンク送信に関する情報を含み得る将来スケジューリング情報（ＦＳＩ）に関係し得る。ＦＳＩは、ネイバーセル中の計画されたダウンリンク送信に関係し得るＲＮＴＰ情報を含み得る。ＦＳＩは、将来のダウンリンク送信に関連するアンテナ毎電力情報、アンテナ毎位相または位相オフセット情報、および／あるいはネイバーセルからの将来の送信に関係する他の情報を含み得る。干渉情報は、無線（ＯＴＡ）シグナリングを使用して近隣セルから送られ得る。
【００２４】
上記パラメータは、たとえば、調整されたチャネル状態情報（ＣＳＩ）を含み得る。調整されたＣＳＩは、ＦＳＩに少なくとも部分的に基づいて調整され得るＣＱＩ情報を含み得る。調整されたチャネル状態情報は、ＣＱＩと、ＰＭＩと、ＲＩとのうちの１つまたは複数を含み得る。
【００２５】
別の態様では、本開示は、コンピュータプログラム製品に関する。本コンピュータプログラム製品は、上記で説明したプロセスのうちの１つまたは複数を実行することをコンピュータに行わせるように構成され得る。
【００２６】
別の態様では、本開示は、通信デバイスに関する。本通信デバイスは、上記で説明したプロセスのうちの１つまたは複数を実装するように構成され得る。
【００２７】
別の態様では、本開示は、通信デバイスに関する。本通信デバイスは、上記で説明したプロセスのうちの１つまたは複数を実装するための手段を含み得る。
【００２８】
添付の図面とともに様々な追加の態様および詳細について以下でさらに説明する。
【００２９】
本出願は、添付の図面とともに与える以下の発明を実施するための形態とともに、より十分に諒解され得る。
【図面の簡単な説明】
【００３０】
【図１】ワイヤレス通信システムの詳細を示す図。
【図２】複数のセルと関連するワイヤレスネットワークノードとを有するワイヤレス通信システムの詳細を示す図。
【図３Ａ】ワイヤレスネットワークノード間のセル間協調の一実施形態の詳細を示す図。
【図３Ｂ】ワイヤレスネットワークノード間のセル間協調の別の実施形態の詳細を示す図。
【図４】セル間干渉協調の実施形態が実装され得るワイヤレス通信システムの一実施形態の詳細を示す図。
【図５】送信電力装置の一実施形態の詳細を示す図。
【図６】様々なデータおよび情報が記憶され得るデータベースの一実施形態の詳細を示す図。
【図７】負荷および非負荷の状態の負荷インジケータ値の関数マッピングの一実施形態の詳細を示す図。
【図８】負荷インジケータ装置の一実施形態の詳細を示す図。
【図９】セル間干渉協調を可能にするための負荷インジケータ処理を実行するためのプロセスの詳細を示す図。
【図１０】セル間干渉協調を可能にする際に使用するリソーススケジューリングを行うためのプロセスの一実施形態の詳細を示す図。
【図１１】セル間干渉協調を可能にする際に使用する送信電力メトリックを与えるためのプロセスの一実施形態の詳細を示す図。
【図１２】セル間干渉協調を可能にする際に使用する送信電力メトリックを生成するためのプロセスの一実施形態の詳細を示す図。
【図１３】セル間干渉協調を可能にする際に使用するアップリンクスケジューリングを生成するためのプロセスの一実施形態の詳細を示す図。
【図１４】セル間干渉協調を可能にする際に使用する負荷指示シグナリングを与えるためのプロセスの一実施形態の詳細を示す図。
【図１５】システム情報ブロードキャスト（ＳＩＢ）データの実施形態のための例示的な情報要素（ＩＥ）を示す図。
【図１６】アップリンクリソース区分が実装され得る通信システムの一実施形態の詳細を示す図。
【図１７】セル間干渉協調を可能にするための基地局間のバックホール協調のタイミング図を示す図。
【図１８】ダウンリンクリソース区分が実装され得る通信システムの一実施形態の詳細を示す図。
【図１９】セル間干渉協調を可能にするためのプロセスの一実施形態の詳細を示す図。
【図２０】セル間干渉協調を可能にするためのプロセスの一実施形態の詳細を示す図。
【図２１】セル間干渉協調を可能にするためのプロセスの一実施形態の詳細を示す図。
【図２２】セル間干渉協調を可能にするためのプロセスの一実施形態の詳細を示す図。
【図２３】セル間干渉協調を可能にするための基地局間のバックホール協調のタイミング図を示す図。
【図２４】態様の実施形態が実装され得る基地局およびユーザ端末の実施形態の詳細を示す図。
【発明を実施するための形態】
【００３１】
本開示は、一般にワイヤレス通信システムを対象とする。より詳細には、限定はしないが、本出願は、ワイヤレス通信システムにおけるセル間干渉協調（ＩＣＩＣ）と関連する処理およびスケジューリングとを可能にするために無線（ＯＴＡ）負荷指示および相対狭帯域送信電力（ＲＮＴＰ）シグナリングを与えるための方法および装置に関する。様々な実施形態では、本明細書で説明する技法および装置は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、シングルキャリアＦＤＭＡ（ＳＣ−ＦＤＭＡ）ネットワーク、ＬＴＥネットワークなど、ワイヤレス通信ネットワーク、ならびに他の通信ネットワークのために使用され得る。本明細書で説明する「ネットワーク」および「システム」という用語は互換的に使用され得る。
【００３２】
態様について説明する前に、実施形態が実装され得る様々な通信システムに関連する詳細および用語について以下でさらに説明する。
【００３３】
Ｕｎｉｖｅｒｓａｌ  Ｔｅｒｒｅｓｔｒｉａｌ  Ｒａｄｉｏ  Ａｃｃｅｓｓ（ＵＴＲＡ）、ｃｄｍａ２０００などの無線技術。ＵＴＲＡは、Ｗｉｄｅｂａｎｄ−ＣＤＭＡ（Ｗ−ＣＤＭＡ）および低チップレート（ＬＣＲ）を含み、ＤＤＭＡを使用して実装され得る。ｃｄｍａ２０００は、ＩＳ−２０００、ＩＳ−９５およびＩＳ−８５６規格をカバーする。Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ）（登録商標）などの無線技術は、ＴＤＭＡを使用して実装され得る。Ｅｖｏｌｖｅｄ  ＵＴＲＡ（Ｅ−ＵＴＲＡ）、ＩＥＥＥ８０２．１１、ＩＥＥＥ８０２．１６、ＩＥＥＥ８０２．２０、Ｆｌａｓｈ−ＯＦＤＭなどの無線技術は、ＯＦＤＭＡを使用して実装され得る。ＵＴＲＡ、Ｅ−ＵＴＲＡ、およびＧＳＭは、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。特に、Ｌｏｎｇ  Ｔｅｒｍ  Ｅｖｏｌｕｔｉｏｎ（ＬＴＥ）は、Ｅ−ＵＴＲＡを使用するＵＭＴＳのリリースである。ＵＴＲＡ、Ｅ−ＵＴＲＡ、ＧＳＭ、ＵＭＴＳおよびＬＴＥは、「３ｒｄ  Ｇｅｎｅｒａｔｉｏｎ  Ｐａｒｔｎｅｒｓｈｉｐ  Ｐｒｏｊｅｃｔ」（３ＧＰＰ）と称する団体から提供されている文書に記載されており、ｃｄｍａ２０００は、「３ｒｄ  Ｇｅｎｅｒａｔｉｏｎ  Ｐａｒｔｎｅｒｓｈｉｐ  Ｐｒｏｊｅｃｔ  ２」（３ＧＰＰ２）と称する団体からの文書に記載されている。これらの様々な無線技術および規格は当技術分野で知られているか、または開発されている。
【００３４】
明快のために、本装置および本技法のいくつかの態様について以下ではＬＴＥ実装形態に関して説明し、以下の説明の大部分でＬＴＥ用語を使用するが、その説明は、ＬＴＥ適用例に限定されるものではない。したがって、本明細書で説明する装置および方法は様々な他の通信システムおよび適用例に適用され得ることが当業者には明らかであろう。
【００３５】
シングルキャリア変調および周波数領域等化を利用するシングルキャリア周波数分割多元接続（ＳＣ−ＦＤＭＡ）は、３ＧＰＰ  Ｌｏｎｇ  Ｔｅｒｍ  Ｅｖｏｌｕｔｉｏｎ（ＬＴＥ）または他の通信システムにおいて使用され得る技法である。ＳＣ−ＦＤＭＡは、ＯＦＤＭＡ実装形態と同様の性能および本質的に同じ全体的な複雑さを有する。ＳＣ−ＦＤＭＡ信号は、それの固有のシングルキャリア構造のために、より低いピーク対平均電力比（ＰＡＰＲ：peak-to-average power ratio）を有し、現在、ＬＴＥにおけるアップリンク多元接続方式に関する実用的な前提である。
【００３６】
ワイヤレス通信システム中の論理チャネルは、制御チャネルとトラフィックチャネルとに分類され得る。論理制御チャネルは、システム制御情報をブロードキャストするためのダウンリンク（ＤＬ）チャネルであるブロードキャスト制御チャネル（ＢＣＣＨ）、ページング情報を転送するＤＬチャネルであるページング制御チャネル（ＰＣＣＨ）、ならびに１つまたは複数のＭＴＣＨのためのマルチメディアブロードキャストおよびマルチキャストサービス（ＭＢＭＳ）スケジューリングおよび制御情報を送信するために使用されるポイントツーマルチポイントＤＬチャネルであるマルチキャスト制御チャネル（ＭＣＣＨ）を含み得る。概して、無線リソース制御（ＲＲＣ）接続を確立した後、このチャネルは、ＭＢＭＳを受信するＵＥによって使用されるだけである。専用制御チャネル（ＤＣＣＨ）は、専用制御情報を送信するポイントツーポイント双方向チャネルであり、ＲＲＣ接続を有するＵＥによって使用される。
【００３７】
論理トラフィックチャネルは、ユーザ情報の転送のための、１つのＵＥに専用の、ポイントツーポイント双方向チャネルである専用トラフィックチャネル（ＤＴＣＨ）、およびトラフィックデータを送信するためのポイントツーマルチポイントＤＬチャネルのためのマルチキャストトラフィックチャネル（ＭＴＣＨ）を含み得る。
【００３８】
トランスポートチャネルは、ダウンリンク（ＤＬ）トランスポートチャネルとアップリンク（ＵＬ）トランスポートチャネルとに分類され得る。ＤＬトランスポートチャネルは、ブロードキャストチャネル（ＢＣＨ）、ダウンリンク共有データチャネル（ＤＬ−ＳＤＣＨ）、およびページングチャネル（ＰＣＨ）を含み得る。ＰＣＨは、（ネットワークがＤＲＸサイクルをＵＥに示すときの）ＵＥ節電のサポートのために使用され、セル全体にわたってブロードキャストされ、他の制御／トラフィックチャネルのために使用され得る物理レイヤ（ＰＨＹ）リソースにマッピングされ得る。ＵＬトランスポートチャネルは、ランダムアクセスチャネル（ＲＡＣＨ）、要求チャネル（ＲＥＱＣＨ）、アップリンク共有データチャネル（ＵＬ−ＳＤＣＨ）、および複数のＰＨＹチャネルを含み得る。ＰＨＹチャネルは、ＤＬチャネルとＵＬチャネルとのセットを含み得る。
【００３９】
さらに、ＤＬ  ＰＨＹチャネルは以下を含み得る。
【００４０】
共通パイロットチャネル（ＣＰＩＣＨ）
同期チャネル（ＳＣＨ）
共通制御チャネル（ＣＣＣＨ）
共有ＤＬ制御チャネル（ＳＤＣＣＨ）
マルチキャスト制御チャネル（ＭＣＣＨ）
共有ＵＬ割当てチャネル（ＳＵＡＣＨ）
肯定応答チャネル（ＡＣＫＣＨ）
ＤＬ物理共有データチャネル（ＤＬ−ＰＳＤＣＨ）
ＵＬ電力制御チャネル（ＵＰＣＣＨ）
ページングインジケータチャネル（ＰＩＣＨ）
負荷インジケータチャネル（ＬＩＣＨ）
ＵＬ  ＰＨＹチャネルは以下を含み得る。
【００４１】
物理ランダムアクセスチャネル（ＰＲＡＣＨ）
チャネル品質インジケータチャネル（ＣＱＩＣＨ）
肯定応答チャネル（ＡＣＫＣＨ）
アンテナサブセットインジケータチャネル（ＡＳＩＣＨ）
共有要求チャネル（ＳＲＥＱＣＨ）
ＵＬ物理共有データチャネル（ＵＬ−ＰＳＤＣＨ）
ブロードバンドパイロットチャネル（ＢＰＩＣＨ）
「例示的」という単語は、本明細書では「例、事例、または例示の働きをすること」を意味するために使用する。「例示的」として本明細書で説明するいかなる態様および／または実施形態も、必ずしも他の態様および／または実施形態よりも好適または有利なものと解釈すべきではない。
【００４２】
様々な態様および／または実施形態の説明のために、本明細書では以下の用語および略語が使用され得る。
【００４３】
ＡＭ            確認応答モード
ＡＭＤ          確認応答モードデータ
ＡＲＱ          自動再送要求
ＢＣＣＨ        ブロードキャスト制御チャネル
ＢＣＨ          ブロードキャストチャネル
Ｃ−            制御−
ＣＣＣＨ        共通制御チャネル
ＣＣＨ          制御チャネル
ＣＣＴｒＣＨ    コード化複合トランスポートチャネル
ＣＰ            巡回プレフィックス
ＣＲＣ          巡回冗長検査
ＣＴＣＨ        共通トラフィックチャネル
ＤＣＣＨ        専用制御チャネル
ＤＣＨ          専用チャネル
ＤＬ            ダウンリンク
ＤＳＣＨ        ダウンリンク共有チャネル
ＤＴＣＨ        専用トラフィックチャネル
ＦＡＣＨ        順方向リンクアクセスチャネル
ＦＤＤ          周波数分割複信
Ｌ１            レイヤ１（物理レイヤ）
Ｌ２            レイヤ２（データリンクレイヤ）
Ｌ３            レイヤ３（ネットワークレイヤ）
ＬＩ            長さインジケータ
ＬＳＢ          最下位ビット
ＭＡＣ          媒体アクセス制御
ＭＢＭＳ        マルチメディアブロードキャストマルチキャストサービス
ＭＣＣＨ        ＭＢＭＳポイントツーマルチポイント制御チャネル
ＭＲＷ          移動受信ウィンドウ
ＭＳＢ          最上位ビット
ＭＳＣＨ        ＭＢＭＳポイントツーマルチポイントスケジューリングチャネル
ＭＴＣＨ        ＭＢＭＳポイントツーマルチポイントトラフィックチャネル
ＰＣＣＨ        ページング制御チャネル
ＰＣＨ          ページングチャネル
ＰＤＵ          プロトコルデータユニット
ＰＨＹ          物理レイヤ
ＰｈｙＣＨ      物理チャネル
ＲＡＣＨ        ランダムアクセスチャネル
ＲＬＣ          無線リンク制御
ＲＲＣ          無線リソース制御
ＳＡＰ          サービスアクセスポイント
ＳＤＵ          サービスデータユニット
ＳＨＣＣＨ      共有チャネル制御チャネル
ＳＮ            シーケンス番号
ＳＵＦＩ        スーパーフィールド
ＴＣＨ          トラフィックチャネル
ＴＤＤ          時分割複信
ＴＦＩ          トランスポートフォーマットインジケータ
ＴＭ            トランスペアレントモード
ＴＭＤ          トランスペアレントモードデータ
ＴＴＩ          送信時間間隔
Ｕ−            ユーザ−
ＵＥ            ユーザ機器
ＵＬ            アップリンク
ＵＭ            非確認応答モード
ＵＭＤ          非確認応答モードデータ
ＵＭＴＳ        Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ
ＵＴＲＡ        ＵＭＴＳ  Ｔｅｒｒｅｓｔｒｉａｌ  Ｒａｄｉｏ  Ａｃｃｅｓｓ
ＵＴＲＡＮ      ＵＭＴＳ  Ｔｅｒｒｅｓｔｒｉａｌ  Ｒａｄｉｏ  Ａｃｃｅｓｓ  Ｎｅｔｗｏｒｋ
ＭＢＳＦＮ      マルチキャストブロードキャスト単一周波数ネットワーク
ＭＣＥ          ＭＢＭＳ調整エンティティ（coordinating entity）
ＭＣＨ          マルチキャストチャネル
ＤＬ−ＳＣＨ    ダウンリンク共有チャネル
ＭＳＣＨ        ＭＢＭＳ制御チャネル
ＰＤＣＣＨ      物理ダウンリンク制御チャネル
ＰＤＳＣＨ      物理ダウンリンク共有チャネル
システム設計は、ビームフォーミングおよび他の機能を可能にするためにダウンリンクおよびアップリンクのための様々な時間周波数基準信号をサポートし得る。基準信号は、知られているデータに基づいて生成される信号であり、パイロット、プリアンブル、トレーニング信号、サウンディング信号などと呼ばれることもある。基準信号は、チャネル推定、コヒーレント復調、チャネル品質測定、信号強度測定など、様々な目的のために受信機によって使用され得る。複数のアンテナを使用するＭＩＭＯシステムは、概して、アンテナ間での基準信号の送信の調整を行うが、ＬＴＥシステムは、概して、複数の基地局またはｅＮＢからの基準信号の送信の調整を行わない。
【００４４】
３ＧＰＰ仕様３６２１１−９００は、セクション５．５において、ＰＵＳＣＨまたはＰＵＣＣＨの送信に関連する復調、ならびにＰＵＳＣＨまたはＰＵＣＣＨの送信に関連しないサウンディングのための特定の基準信号（ＲＳ）を定義している。たとえば、表１は、ダウンリンクおよびアップリンク上で送信され得る、ＬＴＥ実装形態のためのいくつかの基準信号を記載しており、各基準信号について短い説明を与えている。セル固有基準信号は、共通パイロット、ブロードバンドパイロットなどと呼ばれることもある。ＵＥ固有基準信号は、専用基準信号と呼ばれることもある。
【表１】
2013517741.tif 000003
【００４５】
いくつかの実装形態では、システムは時分割複信（ＴＤＤ）を利用し得る。ＴＤＤでは、ダウンリンクとアップリンクとは同じ周波数スペクトルまたはチャネルを共有し、ダウンリンク送信とアップリンク送信とは同じ周波数スペクトル上で送られる。したがって、ダウンリンクチャネル応答はアップリンクチャネル応答と相関し得る。相反定理により、アップリンクを介して送られた送信に基づいてダウンリンクチャネルを推定することが可能になり得る。これらのアップリンク送信は、（復調後に基準シンボルとして使用され得る）基準信号またはアップリンク制御チャネルであり得る。アップリンク送信は、複数のアンテナを介した空間選択チャネルの推定を可能にし得る。
【００４６】
時間周波数物理リソースブロック（本明細書ではリソースブロック、または簡潔のために「ＲＢ」としても示される）は、ＯＦＤＭシステムにおいて、トランスポートデータに割り当てられたトランスポートキャリア（たとえば、サブキャリア）または間隔のグループとして定義され得る。ＲＢは、時間および周波数期間にわたって定義される。リソースブロックは、スロットにおける時間および周波数のインデックスによって定義され得る時間周波数リソース要素（本明細書ではリソース要素、または簡潔のために「ＲＥ」としても示される）から構成される。ＬＴＥ  ＲＢおよびＲＥのさらなる詳細は、３ＧＰＰ  ＴＳ３６．２１１に記載されている。
【００４７】
ＵＭＴＳ  ＬＴＥは、２０ＭＨｚから１．４ＭＨＺまでのスケーラブルなキャリア帯域幅をサポートする。ＬＴＥでは、ＲＢは、サブキャリア帯域幅が１５ｋＨｚであるときは１２個のサブキャリアとして定義され、またはサブキャリア帯域幅が７．５ｋＨｚであるときは２４個のサブキャリアとして定義される。例示的な実装形態では、時間領域において、１０ｍｓ長であり、それぞれ１ｍｓの１０個のサブフレームからなる、定義された無線フレームがある。あらゆるサブフレームは、各スロットが０．５ｍｓである２つのスロットからなる。この場合、周波数領域におけるサブキャリア間隔は１５ｋＨｚである。（スロットごとに）これらのサブキャリアのうち１２個を合わせると、ＲＢが構成され、したがって、この実装形態では、１つのリソースブロックは１８０ｋＨｚである。６つのリソースブロックは１．４ＭＨｚのキャリアに適合し、１００個のリソースブロックは２０ＭＨｚのキャリアに適合する。
【００４８】
ダウンリンクには、一般に、上記で説明したようにいくつかの物理チャネルがある。特に、ＰＤＣＣＨは制御を送るために使用され、ＰＨＩＣＨはＡＣＫ／ＮＡＣＫを送るために使用され、ＰＣＦＩＣＨは制御シンボルの数を指定するために使用され、物理ダウンリンク共有チャネル（ＰＤＳＣＨ）はデータ送信のために使用され、物理マルチキャストチャネル（ＰＭＣＨ）は単一周波数ネットワークを使用したブロードキャスト送信のために使用され、物理ブロードキャストチャネル（ＰＢＣＨ）はセル内の重要なシステム情報を送るために使用される。ＬＴＥにおいてＰＤＳＣＨ上でサポートされる変調フォーマットは、ＱＰＳＫ、１６ＱＡＭおよび６４ＱＡＭである。
【００４９】
アップリンクには、一般に、３つの物理チャネルがある。物理ランダムアクセスチャネル（ＰＲＡＣＨ）は初期アクセスのためにのみ使用されるが、ＵＥがアップリンク同期していないとき、データは物理アップリンク共有チャネル（ＰＵＳＣＨ）上で送られる。ＵＥのためにアップリンク上で送信されるべきデータがない場合、制御情報が物理アップリンク制御チャネル（ＰＵＣＣＨ）上で送信されるであろう。アップリンクデータチャネル上でサポートされる変調フォーマットは、ＱＰＳＫ、１６ＱＡＭおよび６４ＱＡＭである。
【００５０】
３ＧＰＰ  ＬＴＥでは、移動局またはデバイスは、「ユーザデバイス」または「ユーザ機器」（ＵＥ）と呼ばれることがある。基地局は、発展型ノードＢまたはｅＮＢと呼ばれることがある。半自律型基地局は、ホームｅＮＢまたはＨｅＮＢと呼ばれることがある。したがって、ＨｅＮＢはｅＮＢの一例であり得る。ＨｅＮＢ、および／またはＨｅＮＢのカバレージエリアは、フェムトセル、ＨｅＮＢセルまたは（アクセスが制限される）限定加入者グループ（ＣＳＧ）セルと呼ばれることがある。
【００５１】
ＬＴＥシステムなどのワイヤレス通信システムにおいてアクセス端末（ＡＴ）またはユーザ機器（ＵＥ）によって実行される、１つの機能は、隣接または近隣セル中にあり得る周囲の送信機についての干渉および経路損失の判断に関する。これらの判断は、ネットワーク基地局の識別、ハンドオフ判断の実行、ネットワークセル間の干渉の管理、あるいは他のネットワーク間またはＩＣＩＣ機能において採用され得る。様々な状態（たとえば、現在のネットワーク負荷、主要なワイヤレス状態、チャネル品質、１つまたは複数のワイヤレスリンク上の経路損失など）に応じて、近隣セルと関連する基地局とに対する干渉を緩和する方法で、特定のリソース上でおよび／または特定の送信電力でＵＥ送信をスケジュールすることが望ましいことがある。スケジューリングを制御するために、隣接または近隣セル中のＵＥまたは他のワイヤレスノードに無線（ＯＴＡ）負荷指示シグナリングを与えることが望ましいことがある。ＵＥは、この情報、および／または追加情報を使用して、ｅＮＢなどのサービング基地局に報告され得る送信電力メトリックを判断し得る。さらに、様々な態様では、干渉対熱雑音（ＩｏＴ）を最小限に抑え、ワイヤレス通信のためのデータスループットを最大にすることが望ましいことがある。
【００５２】
上記および関連する目的を達成するために、１つまたは複数の態様は、以下で十分に説明し、特に特許請求の範囲で指摘する特徴を備える。以下の説明および添付の図面に１つまたは複数の態様のうちのいくつかの例示的な態様を詳細に記載する。ただし、これらの態様は、様々な態様の原理を使用することができる様々な方法のほんのいくつかを示すものであり、説明する態様は、すべてのそのような態様およびそれらの均等物を含むものとする。したがって、本明細書の教示は多種多様な形態で実施され得、本明細書で開示されている特定の構造、機能、またはその両方は代表的なものにすぎないことは明らかであろう。本明細書の教示に基づいて、本明細書で開示する態様は他の態様とは無関係に実装され得ること、およびこれらの態様のうちの２つ以上は様々な方法で組み合わせられ得ることを、当業者なら諒解されたい。たとえば、本明細書に記載の態様をいくつ使用しても、装置を実装し得、または方法を実施し得る。さらに、本明細書に記載の態様のうちの１つまたは複数に加えて、あるいはそれら以外の他の構造、機能、または構造および機能を使用して、そのような装置を実装し得、またはそのような方法を実施し得る。さらに、態様は、請求項の少なくとも１つの要素を備え得る。
【００５３】
図１に、ＬＴＥシステムなどの例示的な多元接続ワイヤレス通信システムの態様の詳細を示す。発展型ノードＢ（ｅＮＢ）１００（アクセスポイントまたはＡＰとして示されることもある）は、あるグループが１０４および１０６を含み、別のグループが１０８および１１０を含み、追加のグループが１１２および１１４を含む、複数のアンテナグループを含む。図１では、アンテナグループごとに２つのアンテナのみが示されているが、アンテナグループごとにより多いまたはより少ないアンテナが利用され得る。ユーザ機器（ＵＥ）１１６（ユーザ端末、アクセス端末、またはＡＴとしても知られる）はアンテナ１１２および１１４と通信しており、アンテナ１１２および１１４は、ダウンリンク１２０を介してＵＥ１１６に情報を送信し、アップリンク１１８を介してＵＥ１１６から情報を受信する。第２のＵＥ１２２はアンテナ１０６および１０８と通信しており、アンテナ１０６および１０８は、ダウンリンク１２６を介してＵＥ１２２に情報を送信し、アップリンク１２４を介してアクセス端末１２２から情報を受信する。周波数分割複信（ＦＤＤ）システムでは、通信リンク１１８、１２０、１２４および１２６は、通信のための異なる周波数を使用し得る。たとえば、ダウンリンク１２０は、アップリンク１１８によって使用される周波数とは異なる周波数を使用し得る。時分割複信（ＴＤＤ）システムでは、ダウンリンクおよびアップリンクは共有され得る。
【００５４】
図２に、ＬＴＥ通信システムなどの例示的な多元接続ワイヤレス通信システム２００の態様の詳細を示す。多元接続ワイヤレス通信システム２００は、近隣または隣接していることがあるセル２０２、２０４、および２０６を含む複数のセルを含む。一態様では、セル２０２、２０４、および２０６のうちの１つまたは複数は、複数のセクタを含むｅＮＢを含み得る。複数のセクタはアンテナのグループによって形成され得、各アンテナは、図１に関して前に説明したような、セルの一部分におけるＵＥとの通信を担当する。たとえば、セル２０２において、アンテナグループ２１２、２１４、および２１６は各々異なるセクタに対応し得る。セル２０４において、アンテナグループ２１８、２２０、および２２２は各々異なるセクタに対応する。セル２０６において、アンテナグループ２２４、２２６、および２２８は各々異なるセクタに対応する。セル２０２、２０４および２０６は、各セル２０２、２０４または２０６の１つまたは複数のセクタと通信する、いくつかのワイヤレス通信デバイス、たとえば、ユーザ機器（ＵＥ）を含むことができる。たとえば、ＵＥ２３０および２３２はｅＮＢ２４２と通信することでき、ＵＥ２３４および２３６はｅＮＢ２４４と通信することができ、ＵＥ２３８および２４０はｅＮＢ２４６と通信することができる。ＵＥは、隣接セルと関連するｅＮＢとから信号を受信することが可能であり得る。たとえば、ＵＥ２３４はサービングノードｅＮＢ２４４に関連付けられ得るが、ＵＥ２３４はまた、隣接セル２０２および２０６から、ならびに対応するｅＮＢ２４２および２４６から、信号を受信することが可能であり得る。これらの信号は、負荷インジケータ（ＬＩ。過負荷インジケータとして示されることもある）シグナリングおよび／または将来スケジューリング情報（ＦＳＩ）を含み得、これらは、相対狭帯域送信電力（ＲＮＴＰ）シグナリング、ならびに以下でさらに説明する他のシグナリングであり得る。ｅＮＢ２４２、２４４、および２４６などのｅＮＢはシステムコントローラ２５０と通信し得、システムコントローラ２５０は、さらに、バックホールおよびコアネットワーク（ＣＮ）構成要素および機能への接続性を与え得る。
【００５５】
いくつかの実装形態では、いくつかの分散機能および処理が、図２に示すようなｅＮＢ間の直接通信またはネゴシエーションによって行われ得る。たとえば、ｅＮＢは、本明細書で後にさらに説明するように、直接通信して、直交化（orthogonalization）を協調させて、セル間干渉を緩和し得る。
【００５６】
図３Ａに、直接および／またはバックホール接続性を使用してセル間直交化および干渉消去のための協調を可能にするために使用され得るような、例示的なｅＮＢと他のｅＮＢとの相互接続の詳細を示すネットワーク３００Ａの一実施形態の詳細を示す。ネットワーク３００Ａは、マクロｅＮＢ３０２と、ピコセルまたはフェムトセルｅＮＢ３１０であり得る複数の追加のｅＮＢとを含む。ネットワーク３００Ａは、スケーラビリティ上の理由でＨｅＮＢゲートウェイ３３４を含み得る。マクロｅＮＢ３０２およびゲートウェイ３３４は、それぞれ、モビリティ管理エンティティ（ＭＭＥ）３４２のプール３４０および／またはサービングゲートウェイ（ＳＧＷ）３４６のプール３４４と通信し得る。ｅＮＢゲートウェイ３３４は、専用Ｓ１バックホール接続３３６のためのＣプレーンおよびＵプレーン中継器のように見え得る。Ｓ１接続は、発展型パケットコア（ＥＰＣ）とＥｖｏｌｖｅｄ  Ｕｎｉｖｅｒｓａｌ  Ｔｅｒｒｅｓｔｒｉａｌ  Ａｃｃｅｓｓ  Ｎｅｔｗｏｒｋ（ＥＵＴＲＡＮ）との間の境界として指定された論理インターフェースであり得る。したがって、Ｓ１接続はコアネットワークまたはＣＮ（図示せず）とのインターフェースを与え、コアネットワークまたはＣＮは他のネットワークにさらに結合され得る。ｅＮＢゲートウェイ３３４は、ＥＰＣから見てマクロｅＮＢ３０２として働き得る。ＣプレーンインターフェースはＳ１−ＭＭＥであり得、ＵプレーンインターフェースはＳ１−Ｕであり得る。
【００５７】
ｅＮＢゲートウェイ３３４は、ｅＮＢ３１０に対して単一のＥＰＣノードとして働き得、ｅＮＢ３１０のためのＳ１フレックス接続性を保証し得る。ｅＮＢゲートウェイ３３４は、単一のｅＮＢ３１０がｎ個のＭＭＥ３４２と通信し得るように、１：ｎ中継機能を与え得る。ｅＮＢゲートウェイ３３４は、Ｓ１セットアッププロシージャを介して動作させられたときにＭＭＥ３４２のプール３４０に登録する。ｅＮＢゲートウェイ３３４は、ｅＮＢ３１０とのＳ１接続３３６のセットアップをサポートし得る。
【００５８】
ネットワーク３００Ａは自己組織化ネットワーク（ＳＯＮ）サーバ３３８をも含み得る。ＳＯＮサーバ３３８は、３ＧＰＰ  ＬＴＥネットワークの自動最適化を行い得る。ＳＯＮサーバ３３８は、ワイヤレス通信システム３００Ａにおける運用、管理、および保守（ＯＡ＆Ｍ）機能を改善するための重要な推進要因であり得る。
【００５９】
マクロｅＮＢ３０２とｅＮＢゲートウェイ３３４との間にＸ２リンク３２０が存在し得る。Ｘ２リンク３２０は、共通のｅＮＢゲートウェイ３３４に接続されたｅＮＢ３１０の各々の間にも存在し得る。Ｘ２リンク３２０は、ＳＯＮサーバ３３８からの入力に基づいてセットアップされ得る。Ｘ２リンク３２０はＩＣＩＣ情報を搬送し得る。Ｘ２リンク３２０が確立され得ない場合、ＩＣＩＣ情報を搬送するためにＳ１接続３３６が使用され得る。基地局またはｅＮＢ間で、本明細書でさらに説明するような様々な機能を管理するために、バックホールシグナリングがシステム３００Ａにおいて使用され得る。たとえば、これらの接続は、本明細書で引き続きさらに説明するように、サブバンド直交化協調およびスケジューリングを可能にするために使用され得る。
【００６０】
図３Ｂに、ＳＯＮサーバがない同様のネットワーク構成３００Ａを示す。この構成では、マクロｅＮＢ３０２およびピコまたはフェムトｅＮＢ３１０などのｅＮＢが、図示のようにＸ２接続３２０を介して直接通信し得る。
【００６１】
図４に、様々な態様によるセル間干渉協調（ＩＣＩＣ）の実施形態が実装され得るワイヤレス通信システム４００の例示的な実施形態の詳細を示す。システム４００は、アップリンク（ＵＬ）およびダウンリンク（ＤＬ）接続を含み得るワイヤレスリンク４１８を介してサービングｅＮＢ（または基地局または等価なワイヤレスネットワークノード）４０４と通信しているＵＥ４０２を含む。ｅＮＢ４０４はサービングセル４１０に関連付けられ得る。さらに、ＵＥ４０２は、ｅＮＢ４２４および４３４によってそれぞれサービスされ得る１つ（または複数）の隣接または近隣セル４２０および／または４３０のワイヤレス範囲中にあり得る。セル４１０とセル４２０との間および関連するｅＮＢ４０４とｅＮＢ４２４との間に示すように、Ｓ１またはＸ２接続４６０などのセル間リンクを介してセル間通信が行われ得る。セル４１０とセル４３０との間、またはセル４２０とセル４３０との間などの、セル間の他のＸ２接続（図示せず）も構成され得る。
【００６２】
ＵＥ４０２は、リンク４１８のダウンリンクコンポーネントを介してセル間干渉協調を促進するためにサービングセルノード４０４からシステムデータを受信し、接続モードに応じて他のデータまたは情報をも受信し得る。ＵＥ４０２はまた、本明細書で後にさらに説明するように、セル間干渉協調を促進するためにリンク４１８のアップリンクコンポーネントを介してノード４０４にデータを送り得る。
【００６３】
たとえば、システムデータは、近隣セル４２０、４３０のうちの１つまたは複数についての受信機感度情報、総計された受信機感度データ（たとえば、平均受信機感度）、および／または特定のデータが利用可能でない場合は公称感度データを含み得る。さらに、システムデータは、それぞれの近隣セル４２０および４３０のノード（たとえば、ノード４２４および４３４）の、ならびに／または図示されていない他のセルおよび関連するノードの、送信電力を含み得る。
【００６４】
システムデータは、近隣セル４２０、４３０（または図示されていない他のセル）との干渉緩和を可能にするために使用されるべき好適な送信電力メトリックを判断するためのＵＥ４０２中のモジュールとして組み込まれ得る送信電力装置４０６によって採用され得る。送信電力メトリックは、本明細書でさらに説明するように、受信機感度データおよび／または他のデータに少なくとも部分的に基づき得る。さらに、送信電力メトリックは、それぞれの近隣セル４２０、４３０（および／または図示されていない他のセル）によって観測されたネットワーク干渉の測度に少なくとも部分的に基づき得る。たとえば、ダウンリンク信号が信号経路４２８からＵＥ４０２において受信され得、ダウンリンク信号は、次いで、その信号に基づいて送信電力メトリックデータを生成するために使用され得る。同様に、ダウンリンク信号４３８が、セル４３０のｅＮＢ４３４から受信され得、同様に、送信メトリックデータを生成するために単独でまたはｅＮＢ４２４からの信号と併せて使用され得る。送信電力メトリックは、本明細書でさらに説明するように、経路損失または他の情報などのワイヤレス状態にも基づき得る。送信電力メトリックは、本明細書でさらに説明するように、経路損失または他の情報などのワイヤレス状態に基づき得る。
【００６５】
ＵＥ４０２は、セル４２０および／または４３０などの近隣セルから受信した信号に基づいて情報をサービング基地局４０４に送り得る。この情報は、たとえば、セル間干渉協調を可能にするために使用され得る、隣接セルから受信した信号に関係する調整されたチャネル状態情報（ＣＳＩ）および／または他の情報であり得る。たとえば、ダウンリンク信号がダウンリンク４２９からＵＥ４０２において受信され得、ダウンリンク信号は、次いで、ＩＣＩＣを可能にするための調整されたＣＱＩ報告情報および／または他の情報を生成するために使用され得る。同様に、ダウンリンク信号が、セル４３０のｅＮＢ４３４からのダウンリンク４３９から受信され得、同様に、ＩＣＩＣを可能にするための調整されたＣＳＩ報告情報および／または他の情報を生成するために単独でまたはｅＮＢ４２４からの信号と併せて使用され得る。送信電力メトリックは、本明細書でさらに説明するように、経路損失または他の情報などのワイヤレス状態にも基づき得る。ＣＳＩ調整装置４０７は、送信電力に関連するデータなどのＲＮＴＰデータ、ならびに／あるいはアンテナ毎電力、位相毎電力に関連する情報、および／または他の同様のもしくは関係する情報など、他の情報を含み得る、将来スケジューリング情報（ＦＳＩ）を含む信号を隣接基地局から受信するように構成され得、この情報を使用して、たとえば、ＦＳＩに基づいて調整されたＣＱＩ報告情報などの、調整されたＣＳＩデータまたは情報を生成し得る。
【００６６】
ｅＮＢ４０４はダウンリンク直交化モジュール４５１をも含み得、ダウンリンク直交化モジュール４５１は、セル間干渉緩和を可能にするために、ｅＮＢ４２４および／またはｅＮＢ４３４などの隣接セルノードからダウンリンク上で生成された干渉に関係する情報を受信することと、ダウンリンクデータ送信を直交化することとを行うように構成され得る。ｅＮＢ４２４および４３４は、それぞれ同様の直交化モジュール４２７および４３７（図示せず）を含み得る。さらに、ネイバーセル基地局ｅＮＢ４２４および／またはｅＮＢ４３４は、将来スケジューリング情報を生成し、ＵＥ４０２などに送信するように構成されたＦＳＩ／ＲＮＴＰ装置を含み得る。ＦＳＩは、本明細書で後に説明するように、ＲＮＴＰビットマップなどのＲＮＴＰデータの形態であり得る。ｅＮＢ４０４は同様のＦＳＩ／ＲＮＴＰ装置（図示せず）を含み得る。
【００６７】
図５に、送信電力装置４０６の一実施形態の詳細を示す。電力装置４０６は、スタンドアロンプロセッサおよび／またはＵＥ４０２の処理要素であり得る、データプロセッサ要素４１２を含み得る。装置４０６は、ｅＮＢ４０４などのサービング基地局ならびに隣接基地局４２４および４３４などの他の基地局から信号を受信するように構成された受信機モジュール４０９をさらに含み得る。プロセッサ４１２は、ＵＥ４０２が非アクティブ状態などから起動したときに送信電力装置４０６をアクティブにするように構成され得る。この場合、送信電力装置４０６は、アクティブになるかまたは新しいセルに移行すると、負荷インジケータ情報、および／あるいはシステムデータまたは情報を分析し得る。
【００６８】
別の態様では、データプロセッサがアクティブな受信状態の間に送信電力装置４０６をアクティブにするように、不連続受信（ＤＲＸ）プロシージャが変更され得る。代替的に、上記の態様の変形形態が、ならびに適切な動作イベントまたは状態に基づく他のアクティベーションプロシージャが、使用され得る。
【００６９】
システムデータはプロセッサ４１２によってパースされ得、パースされたデータはメモリ４０１に記憶され得る。それぞれの近隣セル４０４Ａ、４０４Ｂについての受信機感度データ、および／または総計／公称データを識別するために受信機感度モジュール４１４が含まれ得る。感度データは、ＵＥ４０２の送信電力メトリックを判断する際に感度データを採用し得る計算モジュール４１６にフォワーディングされ得る。さらに、計算モジュール４１６は、送信電力メトリックの判断のために、それぞれの近隣セル４０４Ａ、４０４Ｂによって与えられた負荷インジケータ（ＬＩ）信号および／または関連するデータを採用し、ならびに送信電力メトリックの判断のために経路損失データを採用し得る。
【００７０】
たとえば、計算モジュール４１６は、送信電力メトリックを生成するために以下の形態の処理方法を採用し得る。たとえば、ｋ個の近隣セルがあると仮定すると、各近隣セルについて、サブフレームｉごとに（報告サブバンドごとに）リソースブロック当たりの最大電力（ＰRBmax）の計算が行われ得る。たとえば、各隣接セルについてのＰRBmaxは以下に従って計算され得る。
【数１】
2013517741.tif 000004
【００７１】
上式で、ＰｏPUSCHｉｎｔ（ｋ）は、対応する近隣基地局（ｅＮＢ）における受信機感度値であり、ｋは近隣セルであり、ｉはサブフレームインデックスであり、ＰＬ（ｉ，ｋ）は、近隣ｅＮＢ、ｋに対して推定された経路損失を表す経路損失メトリックであり、ｆ（ｉ，ｋ）は累積無線（ＯＴＡ）干渉補正値であり、これは、以下でさらに説明するように判断され得る。
【００７２】
一実装形態では、受信機感度ＰｏPUSCHｉｎｔ（ｋ）値は次のように判断され得る。
【数２】
2013517741.tif 000005
【００７３】
上式で、ＰｏPUSCHnomｉｎｔ（ｋ）は、セルｋに関連する公称受信機感度であり、ＰｏPUSCHUEｉｎｔは、ＵＥ固有のオフセット値である。
【００７４】
いくつかの実装形態では、ＰＬ（ｉ，ｋ）および／またはｆ（ｉ，ｋ）は、省略されるか、あるいは他の同様の、等価なまたは追加のパラメータと置き換えられ得る。
【００７５】
各近隣セルについてＰRBmax（ｉ，ｋ）を判断した後に、サブフレーム当たりのＰRBmax値（ＰRBmax（ｉ））がＵＥにおいて生成され得る。このメトリックは、すべての近隣または隣接ｅＮＢのうちの最小ＰRBmax値に基づき得、たとえば、以下のようになる。
【数３】
2013517741.tif 000006
【００７６】
次いで、ＵＥ（たとえば、ＵＥ４０２）はＰRBmax（ｉ）値を送信電力メトリックとして送り得る。
【００７７】
いくつかの実装形態では、ＰＬ（ｉ，ｋ）および／またはｆ（ｉ，ｋ）は、省略されるか、あるいは他の同様の、等価なまたは追加のパラメータと置き換えられ得る。たとえば、いくつかの実施形態では、公称受信機感度パラメータＰＬ（ｉ，ｋ）は、経路損失差の関数でもあり得、または単独で経路損失値であり得る。
【００７８】
累積ＯＴＡ干渉補正値ｆ（ｉ，ｋ）は累積補正値を表す。一実施形態では、累積ＯＴＡ干渉補正値ｆ（ｉ，ｋ）は、あらかじめ定義された関数ｇ（ｉ）を使用して図７に示すように１ビット値を処理することに基づいて生成され得、ただし、ｇ（ｉ）は、図示のようにｆ（ｉ−１）（たとえば、前のサブフレームｉ−１に関連する負荷）の関数であり得る。図７は、負荷および無負荷の場合の特定の関数関係（たとえば、境界値ｆminと境界値ｆmaxとの間の線形補間）を示しているが、様々な実装形態では、ｆmin≦ｆ（ｉ−１）≦ｆmaxである、ｇ（ｉ）の非線形関数関係など、他の関数が代替的に使用され得ることに留意されたい。たとえば、指数関数、２乗法則、べき法則、または他の関数が使用され得る。
【００７９】
しきい値ターゲットを上回るＯＴＡ負荷インジケータの場合は、以下のようになる。
【数４】
2013517741.tif 000007
【００８０】
しきい値ターゲットを下回るＯＴＡ負荷インジケータの場合は、以下のようになる。
【数５】
2013517741.tif 000008
【００８１】
上式で、ｇ（ｉ）はｆ（ｉ−１）の関数であり、ｆ（ｉ）＝ｇ（ｊ）のｊ＝０からｊ＝ｉまでの和である。
【００８２】
上記のまたは等価な処理について、所与のリソースブロックのための干渉補正値ｆ（ｉ）は、現在のワイヤレス状態、および／または前のサブフレーム「ｉ−１」、および／または前のサブフレームの組合せに基づき得る。さらに、ＯＴＡ負荷インジケータ（物理ブロードキャストチャネル−ＰＢＣＨ）が消去される場合、その処理では、ｆ（ｉ−１）においてｇ（ｉ）＞０である場合は、負荷インジケータがしきい値ターゲットを上回ると仮定し、ｆ（ｉ−１）においてｇ（ｉ）＜０である場合は、負荷インジケータがしきい値ターゲットを下回ると仮定し、ｆ（ｉ−１）＝０である場合は、ｇ（ｉ）＝０に設定することができる。ｆ（ｉ−１）とｇ（ｉ）との間の例示的なマッピングが図７に示されており、そのマッピングは線形である。ただし、様々な実施形態では、指数関数、２乗法則または他のべき法則などの他の関数関係、および／あるいは単調に増加または減少する他の関係が使用され得る。
【００８３】
さらに、上記の例では、１ビットアルゴリズムに基づく処理について説明したが、いくつかの実装形態では、２ビットまたはより大きいビットサイズの処理論理が使用され得る。たとえば、１ビットアルゴリズム論理の代わりに２ビット処理アルゴリズムが採用され得る。１つの例示的な２ビット処理アルゴリズムでは、極めて高い負荷、ターゲットを上回る負荷、ターゲットを下回る負荷および極めて軽い負荷であり得る、４つの状態が与えられ得る。
【００８４】
極めて高い負荷の状態の場合、前に説明したＯＴＡ負荷インジケータ処理は、たとえば、２回実行され得、その結果、ｇ（ｉ）に基づく２つの干渉オフセット補正値が潜在的に生じ得る。ターゲットを上回る負荷の状態およびターゲットを下回る負荷の状態の場合、ＯＴＡ負荷インジケータ処理は、１回実行され得、したがって前に説明した１ビット処理と同じであり得る。
【００８５】
極めて軽い負荷の状態の場合、上記処理は同じく２回実行され得、いくつかの実装形態では、その結果、ｇ（ｉ）に基づく２つの干渉オフセット補正値（上方）が生じ得る。
【００８６】
これらの場合のいずれにおいても（すなわち、１ビットの場合であろうと、２ビットの場合であろうと、他のビット構成であろうと）、その結果は計算モジュール４１２によって使用されて、近隣セル「ｋ」当たりのサブフレーム「ｉ」におけるリソースブロック当たりの送信電力メトリックが生成され得、その結果、前に説明したように最小値メトリックが生じ得る。
【００８７】
次いで、送信電力メトリックはサービングセル４１０中の基地局（たとえば、ｅＮＢ）４０４に送られ得る。次いで、基地局／サービングセルは、ＵＥ４０２のためのアップリンク（ＵＬ）送信ポリシーおよび割振りを計算し得る。このポリシーは送信電力メトリックに基づき得、ポリシーおよび割振りはＵＥ４０２にフォワーディングされ得る。受信すると、ＵＥ４０２は、送信ポリシーを実装し、次いで近隣セルからのＬＩ送信を監視し続け、次いで後続のサブフレーム（たとえば、サブフレーム「ｉ＋１」）のための送信電力メトリックを生成し得る。
【００８８】
いくつかの実装形態では、サービングセル基地局４０４は、セル間干渉協調に関係するデータを記憶するように構成されたデータベース４０８に結合され得、例示的なデータベース４０８の構成は図６に示されている。たとえば、受信機感度データが、近隣セル４２０、４３０からのワイヤレスネットワークノードをそれぞれの受信機感度データと相関させるデータベースエントリまたはファイルの第１のセット４０８Ａに記憶され得る。さらに、サービングセル４１０によってサービスされる、ＵＥ４０２などのＵＥによってサブミットされた送信電力データが、ＵＥ送信電力エントリまたはファイル４０８Ｂに記憶され得る。さらに、基地局４０４によって生成されたＵＬスケジュールまたは他の関係するデータが、ＵＥスケジューリングエントリまたはファイル４０８Ｃに記憶され得る。その上、それぞれのファイル４０８Ａ、４０８Ｂ、４０８Ｃは、時間変動する感度、送信電力、スケジューリング情報、および／または（図６に示されていない）他の情報を含むために経時的に更新されるかまたは経時的にアペンドされ得ることを諒解されたい。その場合、そのようなデータは、時間変動データを最適化入力として採用し得る適応型セル間干渉協調において採用され得る。
【００８９】
図８に、本開示の態様による、負荷インジケータ装置４５０の一実施形態の詳細のブロック図を示す。負荷インジケータ装置４５０は、図４のｅＮＢ４０４などの基地局に結合されるかまたは組み込まれ得る。
【００９０】
いくつかの実装形態では、負荷インジケータ装置は、ワイヤレスネットワークの内部の構成要素または要素として実装され得る。たとえば、装置４５０は、地上波無線アクセスネットワークの一部である（たとえば、ｅノードＢ、基地局コントローラなどに結合される）か、または（たとえば、ネットワークゲートウェイまたは他の接続ポイントにおいて）地上波無線アクセスネットワークに結合されたワイヤレス事業者のコアネットワークの一部であり得る。
【００９１】
いずれの場合も、負荷インジケータ装置４５０は、少なくとも基地局とのワイヤードまたはワイヤレスシグナリングのための通信インターフェース４５２を採用するように構成され得る。いくつかの態様では、通信インターフェース４５２は、基地局を、たとえば、図２および図３に示すような、近隣基地局のセットと接続するバックホールネットワークにさらに結合され得る。他の態様では、通信インターフェース４５２は、近隣基地局のセットを管理する基地局コントローラ（図示せず）にさらに結合され得る。一実施形態では、通信インターフェース４５２は、たとえば、Ｘ２接続などを介して、近隣基地局とワイヤレス通信するために採用され得る、または基地局によってサービスされる１つまたは複数のユーザ機器（ＵＥ）にワイヤレス通信するために採用され得る、ワイヤレスインターフェースを含み得る。一実施形態では、通信インターフェース４５２は、ワイヤレス基地局またはｅＮＢの（たとえば、図１６に示し、本明細書で後に説明するような）送信受信チェーンを含むか、またはそのような送信受信チェーンに結合される。
【００９２】
一態様では、通信インターフェース４５２は、近くの基地局のサブセットから受信機感度情報を取得するために負荷インジケータ装置４５０によって採用され得る。たとえば、この感度情報はそれぞれの基地局受信機において測定され、（たとえば、通信インターフェース４５２を介して）装置４５０にサブミットされ、（たとえば、バックホールネットワークまたは他の相互接続構成を介して）基地局の間で共有され得る。
【００９３】
別の態様では、感度情報は、負荷インジケータ装置４５０によってそれぞれの基地局のために生成される公称感度情報であり得る。
【００９４】
受信機感度情報はメモリ４５６に記憶され得る。その情報は基地局ごとに記憶され得る。代替または追加として、感度情報の平均または他の好適な総計がメモリ４５６に記憶され得る。感度データは、分析モジュール４５８によって採用され、データプロセッサ４５４によって実行され、および／またはデータプロセッサ４５４とともに組み込まれ得る。詳細には、分析モジュール４５８は、負荷インジケータ装置４５０によってサービスされる１つまたは複数のＵＥのワイヤレス範囲内の基地局を識別しようと試みることと、範囲内基地局についての受信機感度情報をそれぞれのＵＥに配信することとを行うように構成され得る。
【００９５】
別の態様では、分析モジュール４５６は、負荷インジケータ装置４５０によってサービスされるＵＥに総計感度データ（たとえば、平均感度データ、基地局固有のデータが利用可能でない場合は公称感度データ、または他の記憶された感度データ）を送るように構成され得る。いずれの場合も、感度データは、（経路損失計算のための）それぞれの基地局の送信強度、または本明細書の他の場所で説明するパラメータなどの他のパラメータを含む、他のシステム情報とともに配信され得る。
【００９６】
分析モジュール４５８は、受信機感度データを搬送するために負荷情報に専用の特定の物理ダウンリンクチャネル（ＰＤＣＨ）を採用し得る。場合によっては、負荷インジケータ装置４５０によってサービスされるＵＥによって送信される応答情報のために物理アップリンクチャネル（ＰＵＣＨ）が確立され得る。通信インターフェース４５２は、分析モジュール４５８によって配信されたシステム情報に対する応答についてＰＵＣＨを監視するように構成され得る。別の態様では、専用ＰＵＣＨが確立されない場合、ＵＥは、負荷インジケータ装置４５０に結合された基地局に応答を送信するためにアップリンク制御チャネルまたは他のアップリンクチャネルを採用し得る。
【００９７】
ＵＥによって与えられる応答は送信電力メトリック４９０を含み得、送信電力メトリック４９０は、ＵＥによって分析された各近隣基地局についてリソースブロックごとに、複数のセルにわたるリソースブロック当たりの最大電力（ＰRBmax）の最小値と判断され得る。この処理の例について、本明細書の他の場所で説明する。
【００９８】
送信電力メトリックは、ＵＥのためのＵＬ送信スケジュール４６４を生成するように構成され得るスケジューリングモジュール４６２にフォワーディングされ得、ＵＬ送信スケジュール４６４は送信電力メトリックに少なくとも部分的に基づき得る。送信スケジュール４６４は、メモリ４５６に記憶され、図４に示すように、ＵＥ４０２などのＵＥに送信され得る。概して、ＵＥ送信スケジュール４６４は、基地局のセットの間のセル間干渉の低減を可能にするように構成される。一例として、ＵＬ送信スケジュール４６４は、選択されたＵＬリソース上でＵＥのための送信電力を指定し得る。場合によっては、ＵＬ送信スケジュール４６４は、ネットワークにおける干渉の緩和のための特定のリソースにＵＥを割り当てるように構成され得る。いずれの場合も、ＵＬ送信スケジュール４６４は、複数の近隣または隣接基地局および関連するセルの間のセル間干渉協調方法に従って、ネットワーク干渉を低減するように生成され得る。
【００９９】
図４〜図８に示す上述のシステムおよびモジュールについて、いくつかの構成要素、モジュールおよび／または通信インターフェースの間の対話に関して説明したが、そのようなシステムおよび構成要素／モジュール／インターフェースは、それらの中で指定された構成要素／モジュールまたはサブモジュール、指定された構成要素／モジュールまたはサブモジュールの一部、および／あるいは追加のモジュール（図示せず）を含むことができることを諒解されたい。たとえば、一態様では、システムは、ＵＥ４０２と、サービングセル基地局４０４と、データベース４０８と、負荷インジケータ装置４５０とを含むか、あるいはこれらのまたは他のモジュールの異なる組合せを含み得る。また、サブモジュールは、親モジュール内に含まれるのではなく、他のモジュールに通信可能に結合されたモジュールとして実装され得る。さらに、１つまたは複数のモジュールを組み合わせて、集約機能を提供する単一のモジュールにすることができることに留意されたい。たとえば、それぞれのＵＥ送信電力データを分析することと、そのデータに基づいてそれぞれのＵＥ  ＵＬスケジュールを生成することとを単一の構成要素として可能にするために、分析モジュール４５８はスケジューリングモジュール４６２を含み得、またはその逆も同様である。また、構成要素は、本明細書では具体的に説明していないが当業者に知られている１つまたは複数の他の構成要素と対話することができる。
【０１００】
さらに、諒解されるように、開示する上記のシステムおよび下記の方法の様々な部分は、人工知能、または知識ベースもしくはルールベースの構成要素、下位構成要素、プロセス、手段、方法、または機構（たとえば、サポートベクターマシン、ニューラルネットワーク、エキスパートシステム、ベイジアン信念ネットワーク、ファジィ論理、データ融合エンジン、クラシファイヤ．．．）を含むか、またはそれらからなり得る。そのような構成要素は、特に、および本明細書ですでに説明したものに加えて、システムおよび方法の部分をより適応的ならびに効率的で知的にするために、そのような構成要素によって実行されるいくつかの機構またはプロセスを自動化することができる。
【０１０１】
本明細書で前に説明した例示的なシステムに鑑みて、開示する主題に従って実施され得る方法は、図９および図１０を参照すればより良く諒解されよう。説明を簡単にするために、方法を一連のブロックとして図示および説明するが、いくつかのブロックは、本明細書で図示および説明するのとは異なる順序で、および／または他のブロックと同時に、行われ得るので、請求する主題はブロックの順序によって限定されないことを理解および諒解されたい。その上、以下で説明する方法を実施するために、図示されたすべてのブロックが必要とされるとは限らないことがある。さらに、以下および本明細書の全体にわたって開示する方法は、そのような方法をコンピュータに移送および転送することを可能にする製造品に記憶することが可能であることをさらに諒解されたい。使用する製造品という用語は、任意のコンピュータ可読デバイス、キャリアに関連するデバイス、または記憶媒体からアクセス可能なコンピュータプログラムを包含するものとする。
【０１０２】
図９に、様々な態様による、ＯＴＡベースの負荷および干渉協調に関係する例示的なプロセス９００の一実施形態のフローチャートを示す。段階９０２において、隣接または近隣セル中のｅＮＢなどの近隣基地局のセットに関連する受信機感度情報および／または負荷インジケータ情報を取得するためにワイヤレス受信機を採用する。その情報はＵＥなどのネットワークノードにおいて取得され得る。段階９０４において、本明細書の他の場所で説明するようなそれぞれのｅＮＢのリソースブロック当たりの最大送信電力など、送信電力メトリックを計算するためにデータプロセッサを採用する。段階９０６において、計算された送信電力を、たとえばＵＥからサービングｅＮＢに、フォワーディングするためにワイヤレス送信機を採用する。さらに、段階９０８において、（１つまたは複数の）アップリンクチャネル割振りまたは割当てを含み得る送信スケジュールを取得し、これは、本明細書で前に説明したようなセル間干渉協調機構の送信電力メトリックおよび干渉負荷要件に少なくとも部分的に基づき得る。
【０１０３】
図１０に、１つまたは複数の態様による、ＯＴＡ電力判断および負荷協調に基づいてリソーススケジューリングを行うための例示的なプロセス１０００の一実施形態のフローチャートを示す。段階１００２において、１つまたは複数の近隣ｅＮＢに関係する受信機感度情報を取得するために通信インターフェースを採用する。段階１００４において、システムデータとともに受信機感度情報をＵＥなどの少なくとも１つの被サービスネットワークノードにフォワーディングするために送信機を採用する。システムデータは、近隣ｅＮＢに関連する送信電力情報をさらに含み得る。代替態様では、近隣ｅＮＢの送信電力は、サービングｅＮＢの送信電力に等しく設定され得る。段階１００６において、システムデータに部分的に基づき得る計算された送信電力メトリックをＵＥから取得するためにワイヤレス受信機を採用する。さらに、段階１００８において、ＵＥのための送信スケジュールを生成するためにデータプロセッサを採用し、これは、送信電力および／または干渉負荷要件ならびに／あるいは他のパラメータに基づき得る。
【０１０４】
図１１に、様々な態様による、セル間干渉協調のために送信電力メトリックを与えるための例示的なプロセス１１００の一実施形態のフローチャートを示す。プロセス１１００は、１つまたは複数の無線（ＯＴＡ）負荷インジケータ信号（ＬＩ）を受信する、段階１１１０において開始し得、その信号はＵＥにおいて受信され得る。ＬＩ信号は、隣接セル中のｅＮＢまたは他の基地局などから、１つまたは複数の隣接セルによって与えられ得る。段階１１２０において、本明細書で前に説明したような送信電力メトリックを判断する。上記メトリックは、ＬＩ信号に基づき、および／あるいは受信機感度、経路損失、または他のデータもしくは情報など、他のパラメータにさらに基づき得る。上記メトリックは、隣接セルの各々について判断された最大送信電力レベルの最小値に基づくか、または隣接セルの他の関数に基づくか、または隣接セルから受信した情報の複合物であり得る。
【０１０５】
段階１１３０において、送信電力メトリックを、セルに関連するｅＮＢなどのサービングネットワーク基地局に送る。基地局において受信されると、送信電力メトリックは、ＵＥまたは他のネットワークノードからのアップリンク送信をスケジュールするためになど、スケジューリングを判断するために使用され得る。
【０１０６】
図１２に、様々な態様による、送信電力メトリックを生成するための例示的なプロセス１２００の一実施形態のフローチャートを示す。段階１２１０において、複数の最大電力メトリックのうちの複数を判断する。これは、複数の隣接または近隣セルから受信したＯＴＡ  ＬＩシグナリングに基づいてＵＥにおいて行われ得る。段階１２２０において、本明細書で前に説明したような送信電力メトリックを生成する。送信電力メトリックは、隣接または近隣局から受信したＬＩ信号の関数であり得る。送信電力メトリックは、受信機感度値および／または経路損失値、ならびに／あるいはＵＥオフセットメトリックなどの他の関係または関連するパラメータにさらに基づき得る。上記生成することは、累積ＯＴＡ補正値のための補正をさらに含み得る。段階１２３０において、送信電力メトリックをメモリに記憶し、そのメモリは、図１６に示すようなＵＥのメモリ要素であり得る。さらに、送信電力メトリックは、ＵＥアップリンクスケジューリングおよび割振りなどの機能を与える際にさらに使用するために、関連するｅＮＢなどのサービング基地局に送られ得る。
【０１０７】
図１３に、様々な態様による、アップリンク（ＵＬ）スケジューリングを生成するための例示的なプロセス１３００の一実施形態のフローチャートを示す。段階１３１０において、ｅＮＢなどのセル基地局などにおいて送信電力メトリックを受信する。送信電力メトリックは、ＵＥなどの被サービス端末から受信され得る。段階１３２０において、スケジュールを生成する。スケジュールは送信電力メトリックに部分的に基づき得る。スケジュールは、基地局に与えられた他のデータまたは情報に基づき得る。段階１３３０において、アップリンクチャネル割当て、電力レベル、あるいは他のアップリンク関係のシグナリングデータまたは情報を含み得る、スケジューリング情報を被サービスＵＥに与える。次いで、ＵＥは、セル間干渉緩和を可能にするようにスケジュールに従ってアップリンク送信を行い得る。
【０１０８】
図１４に、様々な態様による、負荷指示シグナリングを与えるための例示的なプロセス１４００の一実施形態のフローチャートを示す。段階１４１０において、負荷指示信号（ＬＩ）を生成する。これは、基地局またはｅＮＢなどのネットワークノードにおいて行われ得、隣接または近隣セルに関連するＵＥなど、隣接セル中のノードにＯＴＡ負荷（または過負荷）情報を与えるようにさらに構成され得る。段階１４２０において、ＬＩ信号を送信する。上記送信は、共有されるかまたはＯＴＡ  ＬＩシグナリングに専用であり得る、特定のダウンリンクチャネル構成に基づき得る。さらに、基地局は、隣接ｅＮＢなど、隣接セル中のノードに情報を与え得る。その情報は、受信機感度、経路損失、あるいは他のデータまたは情報に関係し得る。
【０１０９】
図１５に、セル間干渉協調を可能にするために与えられるシステム情報の例を示す。ＳＩＢ２として示されるシステム情報ブロック（ＳＩＢ）１５１０は、ｅＮＢなどのセル基地局から送信され得る。ＳＩＢ２は、情報要素（ＩＥ）１５１２と、ＩＥ１５１４と、ＩＥ１５１６と、ＩＥ１５１８とを含み得る。（１つまたは複数の）ＩＥ１５１２はレガシーＳＩＢ２情報を含む。ＩＥ１５１４は、本明細書で前に説明した送信電力メトリック判断によるＰRBmaxサブバンド報告構成であり得る、サブバンド報告構成などの情報を含む。ＩＥ１５１６は、ＯＴＡ干渉補正値を含み、各構成されたサブバンドの範囲をさらに含み得る。ＩＥ１５１８は、本明細書で前に説明したように判断されるかまたは与えられ得る、近隣ｅＮＢのデフォルト公称受信機感度などの受信機感度情報を含み得る。
【０１１０】
ＳＩＢ１５２０は、ＩＥ１５２２と、ＩＥ１５２４と、ＩＥ１５２６と、ＩＥ１５２８とを含むＳＩＢ３として示されるＳＩＢの例示的な構成を示している。ＳＩＢ１５１０の場合と同様に、ＳＩＢ１５２０は、近隣セル／ｅＮＢの送信電力に関係するデータを含み得るＩＥ１５２４とともに、レガシーＳＩＢ情報（この場合（１つまたは複数の）ＩＥ１５２２としてのＳＩＢ２情報）を含む。ＩＥ１５２６は、近隣セル／ｅＮＢのＯＴＡ  ＬＩサブバンド構成に関連する情報を含む。ＩＥ１５２８は、近隣セル／ｅＮＢの受信機感度に関連する情報を含む。
【０１１１】
ブロック１５３０は、ＳＲＢ１として示されるシグナリング無線ベアラ（ＳＲＢ）の例示的な構成を示している。ＳＲＢ１は、レガシー情報１５３２を含み、近隣ｅＮＢ受信機感度のＵＥオフセットに関係するデータまたは情報１５３４をさらに含み得る。
【０１１２】
別の態様によれば、本明細書で前に説明したようなＬＩベースのシグナリングは、リソース区分を実行することによって干渉を緩和するためにセル間協調を可能にするために使用され得る。たとえば、アップリンク接続（たとえば、ユーザ端末またはＵＥから基地局またはｅＮＢへの送信）上で、ＵＥは（電力密度ではなく）総送信電力のうちの特定の量を割り振られ得、その場合、これは、システム帯域幅全体にわたって使用されるか、あるいは特定の１つまたは複数のサブバンドにおいて使用され得る（その結果、それらのサブバンド内の電力密度が高くなる）。サブバンドを割り振ることは、リソース区分を通してｅＮＢ間で行われ得、これは、本明細書で前に説明したようにＬＩシグナリングを使用し得る。
【０１１３】
一例として、近隣セルのＵＥが、異種ネットワーク構成などにおいて別のセルの基地局に隣接する場合、ダウンリンクはＵＥに著しく影響を及ぼし得る。これの一例を図１６の通信システム１６００に示す。この例示的なシステムでは、基地局またはｅＮＢ１６１０が、ユーザ端末またはＵＥ１６１５をサービスしていることがあるが、近接している別のユーザ端末ＵＥ１６２５を有することがある。ｅＮＢ１６１０は、図４のｅＮＢ４０４と対応し得、ＵＥ１６０５はＵＥ４０２に対応し得る。
【０１１４】
ＵＥ１６２５はネイバー基地局ｅＮＢ１６２０（たとえば、ｅＮＢ１６１０と、それの対応するセルとに対するネイバー）によってサービスされ得、ｅＮＢ１６２０は、図４のｅＮＢ４２４またはｅＮＢ４３４に対応し得る。代替または追加として、ＵＥ１６１５はｅＮＢ１６２０に近接していることがある。ｅＮＢ１６１０および／またはｅＮＢ１６２０は、いくつかの異種ネットワーク実装形態では、フェムトセルまたはピコセル基地局であり得る。他の実装形態では、ｅＮＢ１６１０および／または１６２０は、マクロセル基地局または他の基地局タイプであり得る。
【０１１５】
ｅＮＢ１６１０および／またはｅＮＢ１６２０は、アップリンク上でそれぞれＵＥ１６２５および１６１５から干渉を受け得る。たとえば、ｅＮＢ１６１０はアップリンク干渉１６１４を受信し得、アップリンク干渉１６１４は、潜在的に極めて強いことがあり、ＵＥ１６２０からの所望の信号１６１２と干渉し得る。同様に、ｅＮＢ１６２０はＵＥ１６１５からのアップリンク干渉１６２４を経験し得、アップリンク干渉１６２４は、ＵＥ１６２５からの所望の信号１６２２に影響を及ぼし得る。
【０１１６】
この干渉を補償するために、ｅＮＢ１６１０およびｅＮＢ１６２０は、サブバンドにわたってリソースを区分することなどによってアップリンクシグナリングを直交化するようにアップリンク送信割振りおよび／またはスケジューリングを協調させ得る。たとえば、（ｅＮＢ１６１０の観点から）ｅＮＢ１６１０とｅＮＢ１６２０との間で割り振られたＵＥ送信プロファイルを示す、グラフ１６７０に示すように、総帯域幅が、特定のサブバンドにおける所望のまたはターゲット平均干渉レベルに基づいてＵＥ１６１５および１６２５などの関連するＵＥ間で割り振られ得る、サブバンドに区分され得る。
【０１１７】
たとえば、サブバンド１が、図示のように（ＬＩシグナリングにおいて反映され得るような、ＵＥ１６２５および／または他のノード（図示せず）からのシグナリングに基づき得る）ターゲット干渉レベルを有する場合、利用可能な総電力では受信信号が受信干渉レベルを下回ることになるので、ＵＥ１６１５は好適な信号対雑音干渉レベル（ＳＩＮＲ）でｅＮＢ１６１０と通信することが可能でないことがある。
【０１１８】
しかしながら、ＵＥ１６２５が、サブバンド２ではなくサブバンド１に制限され、ＵＥ１６１５がサブバンド２のみに割り振られた場合、サブバンド２におけるＵＥ１６１５からのシグナリングは、グラフ１６７０に示すように、ターゲット干渉レベルに対して好適なレベルでｅＮＢ１６１０において受信され得る。同様に、グラフ１６８０は、ｅＮＢ１６２０において受信されるシグナリングの一例を示しており、ＵＥ１６２５からの所望の信号１６２２が、サブバンド１のターゲット干渉レベルを上回ってそのサブバンドにおいて受信されることになる。
【０１１９】
リソース区分を可能にするためのアップリンクスケジューリングは、本明細書で前に説明したような受信したＬＩ情報を使用してｅＮＢ１６１０または１６２０などの基地局において実装され得る。（前に説明したように、サブバンド固有であり得る）受信した情報に基づいて、ｅＮＢのスケジューリングモジュールは、潜在的なアップリンクサブバンドを査定し得、そのアップリンクサブバンドは、受信したＬＩ情報に基づき得、および／あるいは近隣ｅＮＢからのスケジューリング情報など、ｅＮＢによって受信されたかまたはｅＮＢに与えられた他の情報に基づき得る。次いで、ｅＮＢは、利用可能なアップリンク帯域幅よりも小さいサブバンドまたは少ない数のリソースブロック（ＲＢ）において、ＵＥアップリンク送信割振りをスケジュールし、送信し得る。さらに、いくつかの実装形態では、少数のＲＢにわたる高い干渉レベルを緩和するために、周波数ホッピングがサブバンドスケジューリングおよび割振りと組み合わせられ得る。
【０１２０】
サブバンドスケジューリングのための協調を可能にするために、サービングセル中で、たとえば、図４のＵＥ４０２などのサービングセルのＵＥなどにおいて、一定のシステム情報が与えられ得る。前に説明したように、図４のｅＮＢ４０４などのサービング基地局は、関連するサブバンド構成を定義する（本明細書で前に説明した）Ｐ＿ＲＢ＿ｍａｘ割振り情報を受信し得る。例示的な実装形態では、１つのサブバンドが、物理アップリンク共有チャネル（ＰＵＳＣＨ）帯域幅に等しいものとして定義され得る。
【０１２１】
図１６のＵＥ１６１５および／または１６２０と対応し得る、図４のＵＥ４０２などのＵＥは、前に説明した処理アルゴリズムに基づき得る、サブバンド当たりの判断されたＰ＿ＲＢ＿ｍａｘ値を報告する。その報告は、たとえば、サブバンドの構成された数に対応する媒体アクセス制御（ＭＡＣ）プロトコルデータユニット（ＰＤＵ）フォーマットを使用し得る。
【０１２２】
サービングセル中の追加情報は、たとえば、各サブバンドの初期補正値および／または範囲を含み得る。これは、図７に関して前に説明したようなプロセスに基づいて生成され得る。また、前に説明したＰ＿Ｐｕｓｃｈ＿ｎｏｍ＿ｉｎｔなど、近隣基地局の公称受信機感度値がサービングセル中で使用され得る。
【０１２３】
サービングセルまたはネイバーセルのいずれかの中で利用可能であり得る追加情報は、近隣ｅＮＢの送信電力に関係する情報を含み得る。サービングセル中のＵＥは、この情報を使用して、（たとえば、相反性（reciprocity）に基づいて）近隣ｅＮＢに対する経路損失を計算し得る。その値は、上記情報が利用可能でない場合、サービングセルに対応するデフォルト値に設定され得る。
【０１２４】
同様に、利用可能な場合は、近隣セルｅＮＢのＯＴＡ  ＬＩサブバンド構成が使用され得る。利用可能でない場合は、近隣セルｅＮＢのＯＴＡ  ＬＩサブバンド構成は、サービングセル構成に対応するデフォルト値に設定され得る。さらに、Ｐ＿ＲＢ＿ｍａｘを生成するために、近隣セルｅＮＢの公称受信機感度（たとえば、Ｐ＿Ｐｕｓｃｈ＿ｎｏｍ＿ｉｎｔ）がサービングセルＵＥによって使用され得る。利用可能でない場合、近隣セルｅＮＢの公称受信機感度は、同様に、サービングセルのシステム情報ブロック（ＳＩＢ）においてシグナリングされ得るデフォルト値などのデフォルト値に設定され得る。一実装形態では、その情報はＳＩＢ２の情報要素（ＩＥ）中にあり得る。
【０１２５】
場合によっては、ＵＥは、ＳＩＢなど、ターゲットセルに関する情報を復号するのが困難であることがある。この場合、ＵＥは、測定ギャップ（すなわち、送信が、たとえばサービングセルから、省略される、時間／リソース割振り）を要求し得る。いくつかの実装形態では、ＵＥは、対応するｅＮＢへの明示的要求なしに近隣セルを自律的にチューンアウト（tune out）し得る。概して、サービングセルＵＥは、近隣セルに関連するシステム情報に気づいている必要があり、システム情報が変化した場合は通知される必要があるものである。
【０１２６】
ＬＩ情報の送信と関連する信号処理とは、リソース区分のために異種ネットワーク中などの複数の基地局またはｅＮＢ間で構成され得る。たとえば、構成は、提案されたサブバンド、ＩｏＴ値などの雑音値に関係する情報、および／あるいは他のデータまたは情報を与えることを含み得る。場合によっては、構成は、ＯＡ＆Ｍ機能の一部としてまたは他の構成動作中に、あらかじめ定義されるかまたは行われ得る。ただし、一態様によれば、構成は、負荷あるいは他の動作状態またはイベントに基づいて、異種ネットワーク中の基地局の追加または再配置中などに、動的に行われ得る。
【０１２７】
バックホール接続が基地局間で利用可能である場合、リソース区分において使用するＬＩ構成情報のシグナリングは、Ｓ１接続またはＸ２接続などを介して、バックホール接続を使用して行われ得る。図１７に、図１６の２つのｅＮＢと対応し得る２つのｅＮＢを構成するためのシグナリングの例示的なタイミング図１７００を示す。ＵＥ１７１５はＵＥ１６１５と対応し得、ｅＮＢ１７１０および１７２０は、それぞれｅＮＢ１６１０および１６２０と対応し得る。
【０１２８】
この例では、ｅＮＢ１７１０は、ｅＮＢ１７２０の近傍で初期化または再配置されていることがある。たとえば、ｅＮＢ１７１０は、直接あるいはＵＥ１７１５または他のネットワークノードからの通信を介して、シグナリングを監視し、ネイバーセルｅＮＢ１７２０に送信するバックホール区分要求メッセージ１７３３を生成し得る。メッセージ１７３３は、たとえば、提案された高および低サブバンド、ＩｏＴ構成、ならびに／または他の情報など、提案された構成パラメータに関係する情報を含み得る。
【０１２９】
区分要求メッセージ１７１２は、Ｓ１またはＸ２接続などのバックホール接続を介して送られ得る。メッセージ１７１２を受信すると、ｅＮＢ１７２０は、そのメッセージを検討し、いくつかの可能な機能のうちの１つを実行し得る。たとえば、ｅＮＢ１７２０は、リソース区分拒否メッセージ（図示せず）を生成し、ｅＮＢ１７１０によって提案されたリソース区分および／または関連するシグナリングを拒否し得る。
【０１３０】
代替または追加として、ｅＮＢ１７２０は、代替構成（図示せず）あるいは１つまたは複数の代替パラメータを提案し得る。構成要求が受付け可能である場合、ｅＮＢ１７２０は、提案された構成パラメータなどの受付け、および／または代替提案を含み得る、リソース区分応答メッセージ１７２２を送り得る。この往復シグナリングプロセスは、上記構成をさらにネゴシエートするために追加の要求および返答を送ることを含み得る。
【０１３１】
基地局が構成されると、サービングｅＮＢ１７１０は、ＩｏＴ構成などのネゴシエートされた構成、および／またはサブバンド構成に関連する情報、あるいはＬＩ処理を構成するための他の情報を含み得る、ＲＲＣ／ＭＡＣ構成メッセージ１７１４を送り得る。次いで、ｅＮＢ１７２０は、本明細書で前に説明したようなＯＴＡ  ＬＩ送信１７２４を送り得、ＯＴＡ  ＬＩ送信１７２４は、サービングＵＥ１７１５において受信され、処理され得る。
【０１３２】
場合によっては、基地局間にバックホール接続が確立されないことがある。この場合、構成は、標準化されるかまたはＯＡ＆Ｍ機能に組み込まれ得る。別の実装形態では、構成情報は、ネイバーセルから送信されるシステム情報ブロック（ＳＩＢ）中の情報要素（ＩＥ）に組み込まれ得る。たとえば、図１６のシステム１６００では、ＵＥ１６１５は、ＳＩＢ２またはＳＩＢ３などのＳＩＢを基地局１６２０から受信し、復号し得、ＳＩＢはＯＴＡ  ＬＩ構成情報を含む。次いで、ＵＥは、その情報を抽出し、それを使用して、受信したＬＩ情報を処理し得る。さらに、ＵＥ１６２５は、Ｐ＿ＲＢ＿ｍａｘデータなどの生成された情報をｅＮＢ１６１０に通信し得、そこで、その情報は、直交化区分処理の一部として使用され得る。
【０１３３】
また、ＬＴＥシステムなどのワイヤレス通信システムにおけるダウンリンク上では、他のセルのｅＮＢなどのノードに関して区分することによってシグナリングを直交化することが望ましいことがある。（アップリンク上ではｅＮＢがＵＥをスケジュールするので）この目的で負荷インジケータはダウンリンクに対して使用され得ないが、様々な実施形態では、ダウンリンクリソース協調のための他の機構が使用され得る。
【０１３４】
ｅＮＢは、一般に、ダウンリンク送信のための一定の割り振られた送信電力密度を有するものであり、その送信電力密度は固定であり得る（たとえば、すべてのサブバンドにわたる電力密度は固定されるが、データは特定のサブバンドにおいて送られることも送られないこともある）。これは典型的なアップリンクシナリオとは異なり、ＵＥは（電力密度ではなく）総送信電力のうちの特定の量を割り振られ得、その場合、これは、帯域全体に、あるいは特定の１つまたは複数のサブバンドに割り振られる（その結果、それらのサブバンド内の電力密度が高くなる）。ただし、これらの制約内で、直交化は、依然として実装され、潜在的なパフォーマンスの利点を与え得る。
【０１３５】
たとえば、ユーザの２つのセット（たとえば、２つのｅＮＢおよびそれらの関連するＵＥ）を用いた一実装形態では、各ｅＮＢがダウンリンク送信のために帯域幅全体を使用しており、近隣セルからの送信が干渉し得、その結果、ＳＩＮＲが、たとえば、０ｄＢになる可能性がある。これは、フェムトまたはピコｅＮＢなどのより小さい基地局が使用される異種ネットワーク構成において特に可能性があり得る。
【０１３６】
代わりに、各ユーザが帯域幅の半分を占有する場合、各ユーザの次元数は低減され得るが、各ユーザのＳＩＮＲは、たとえば、２０ｄＢまで、改善し得る（干渉ではなく熱雑音により制限される）。より高いＳＩＮＲで動作すると、干渉の場合よりも多くのデータスループットが可能になり、それにより全体的なシステムパフォーマンスが増加し得る。
【０１３７】
一例として、近隣セルのＵＥが、異種ネットワーク構成などにおいて別のセルの基地局に隣接する場合、ダウンリンクはＵＥに著しく影響を及ぼし得る。これの一例を図１８の通信システム１８００に示す。この例示的なシステムでは、基地局またはｅＮＢ１８１０が、ユーザ端末またはＵＥ１８１５をサービスしていることがあるが、近接している別のユーザ端末ＵＥ１８２５を有することがある。ＵＥ１８２５は、（ｅＮＢ１８１０と、それの対応するセルとに対する）ネイバー基地局ｅＮＢ１８２０によってサービスされ得る。代替または追加として、ＵＥ１８１５はｅＮＢ１８２０に近接していることがある。ｅＮＢ１８１０および／またはｅＮＢ１８２０は、いくつかの異種ネットワーク実装形態では、フェムトセルまたはピコセル基地局であり得る。他の実装形態では、ｅＮＢ１８１０および／または１８２０は、マクロセル基地局または他の基地局タイプであり得る。
【０１３８】
ＵＥ１８１５および／またはＵＥ１８２５は、ダウンリンク上でそれぞれ基地局１８２０および１８１０から干渉を受け得る。たとえば、ＵＥ１８２５はダウンリンク干渉１８１４を受信し得、ダウンリンク干渉１８１４は、潜在的に極めて強いことがあり、ｅＮＢ１８２０からの所望の信号１８２２と干渉し得る。同様に、ＵＥ１８１５はｅＮＢ１８２０からの干渉１８２４を経験し得、干渉１８２４は、ｅＮＢ１８１０からのダウンリンク信号１８１２に影響を及ぼし得る。
【０１３９】
補償するために、ｅＮＢ１８１０およびｅＮＢ１８２０は、サブバンドなどにわたってシグナリングを直交化するように送信を協調させ得る。たとえば、ｅＮＢ１８１０送信プロファイルを示すグラフ１８７０に示すように、サブバンド１における送信電力レベルは、ｅＮＢ１８２０からサブバンド２において受信されたデータに関するＵＥ１８２５との干渉を緩和するように、サブバンド２における送信電力レベルよりも高いことがある。同様に、ｅＮＢ１８２０送信プロファイルを示すグラフ１８８０に示すように、サブバンド１における送信電力は、ＵＥ１８１５に対する干渉を緩和するように、サブバンド２における送信電力よりも低いことがある。
【０１４０】
電力は様々な方法で２つ以上のサブバンド間で調整され得る。たとえば、いくつかの実装形態では、サブバンド送信電力レベルは、特定のサブバンドに割り振られた総電力量であり得る。他の場合には、サブバンド当たりの電力密度は固定であり得るが、データ送信のためのリソース要素の使用が制限され得る。
【０１４１】
図１８に示すｅＮＢ１８１０およびｅＮＢ１８２０などの２つ以上の基地局間の協調は、Ｘ２通信またはＳ１バックホール接続などを介して、直接的に行われ得る。代替または追加として、協調は、一方または両方の基地局によって被サービスＵＥまたはネイバーセルＵＥなどのＵＥに与えられたシグナリングを使用することなどによって、間接的に行われ得る。
【０１４２】
直交化されたスケジューリングは、基地局間で協調され得るが、必ずしも直接協調される必要はない。たとえば、ｅＮＢが隣接セル基地局のチャネル使用に関する情報を受信し、次いで、それに応答してｅＮＢの使用を調整することができる場合、基地局間のサブバンドのランダム割当ては、依然として、全帯域幅動作にわたるパフォーマンスの改善を可能にし得る。このようにして、ｅＮＢは、直接協調を必要とすることなしに、動的に連続的に更新され得る最適使用シナリオを反復し得る。
【０１４３】
基地局間協調および周波数直交化を可能にするために、いくつかの態様による一実装形態では、基地局またはｅＮＢは、（たとえば、（１つまたは複数の）リソース要素、サブバンド、他の時間周波数リソースなどごとに）将来の送信のために基地局またはｅＮＢの計画された電力情報を広告し得る。この情報は、将来スケジューリング情報（ＦＳＩ）として概して示され得、計画された将来のサブバンド使用、サブバンド毎電力、アンテナ毎電力、アンテナ毎位相、および／あるいは他の同様のまたは関係するデータまたは情報など、将来の計画されたリソース使用を判断するために受信デバイスによって使用され得る。たとえば、例示的な実施形態では、ＦＳＩは相対狭帯域送信電力（ＲＮＴＰ）データおよびシグナリングを使用し得る。ＲＮＴＰデータおよびシグナリングは、たとえば、電力情報を含み得る。代替または追加として、ＲＮＴＰデータは、たとえば、アンテナ毎電力情報、アンテナ毎位相情報、および／または他の情報など、関係情報を含み得る。場合によっては、ＦＳＩ情報の送信は、サービング基地局およびネイバー基地局などの基地局間で協調され得るが、概して、セルにわたって協調される必要がない。
【０１４４】
ＦＳＩは、たとえば、関連するタイミング情報（たとえば、将来、特定のサブバンドがオンおよびオフとなるとき）とともに、どのサブバンド上で将来の送信があるのか（オン）、およびどのサブバンド上で送信がないのか（オフ）を示す、バイナリまたはオン／オフの形態であり得る。代替または追加として、ＦＳＩは、サブバンド当たりの特定の電力レベルまたは電力密度レベル、アンテナ毎位相オフセットなどの位相または位相オフセット情報など、追加情報を含み得、その情報は、共通基準信号または他の信号、ならびに／あるいは追加の電力、タイミング、位相、および／または他の情報のタイミング情報などの、基準に対して判断され得る。
【０１４５】
例示的な実施形態では、ＦＳＩ情報は、ＲＮＴＰビットマップを含むＲＮＴＰ情報を備える。そのビットマップは、リソース要素またはサブバンドごとに単一ビットに基づき得る。場合によっては、グラニュラリティを増加させるために追加のビットが使用され得る。代替または追加として、ＦＳＩ情報は、アンテナ毎位相オフセット情報、サブバンド毎電力、および／あるいは他の電力、位相、タイミング、または関係する情報を含み得る。
【０１４６】
ＦＳＩは、物理ダウンリンク共有チャネル（ＰＤＳＣＨ）などにおけるダウンリンクデータ送信に関係するものである。ただし、いくつかの実装形態では、ＦＳＩは、ダウンリンク制御チャネルなどの他のチャネルにも関係し得る。
【０１４７】
前記のように、概して、ｅＮＢに割り振られる電力密度は固定であるものである。ただし、場合によっては、電力密度はサブバンドにわたって可変に構成され得る。この場合、可変電力密度に関する情報もＦＳＩ中に含まれ得るが、これは行われる必要がない。たとえば、ＣＲＳなどの基準信号（ＲＳ）が、（たとえば、それらのサブバンドにおける等価なデータ送信電力レベルに対応する）異なる電力レベルでｅＮＢによって送られる場合、図１８のＵＥ１８１５またはＵＥ１８２５などのＵＥは、それぞれｅＮＢ１８２０および１８１０からこれらのＲＳを受信し、様々なサブバンドにおける相対電力レベルに関する判断を行い得、これは、チャネル状態情報（ＣＳＩ）の一部として、それぞれｅＮＢ１８１０および１８２０などのサービングｅＮＢに報告され得る。サービングｅＮＢにおいて、次いで、可変電力レベルは将来のスケジューリングにおいて考慮に入れられ得る。図１８は２つの基地局のみ（ｅＮＢ１８１０およびｅＮＢ１８２０）を有するネットワーク構成を示しているが、様々な他の実装形態では、同じまたは異なるタイプの追加の基地局も展開され、セル間干渉を緩和するためにダウンリンク送信を協調させ得る。
【０１４８】
１つまたは複数のネイバー基地局からＦＳＩを受信すると、図１８のＵＥ１８１５またはＵＥ１８２５などのユーザ端末は、次いでこの情報を使用して、ＣＳＩまたは他の情報を報告し得る。一態様によれば、ユーザ端末は、受信したＦＳＩを組み込むかまたは考慮する、調整されたＣＳＩ情報を生成し、この情報をサービング基地局に報告し得る。このようにして、サービング基地局は、ＦＳＩ情報に基づいてダウンリンク送信を判断し得る。
【０１４９】
図１９に、通信システム１６００および／または１８００などにおいて、セル間の干渉協調において使用可能な情報を与えるためのプロセス１９００の一実施形態の詳細を示す。段階１２１０において、ＵＥ１６１５またはＵＥ１８１５などのユーザ端末において干渉関係情報を受信する。段階１９２０において、干渉情報に少なくとも部分的に基づいて干渉調整パラメータまたはメトリックを判断または生成する。たとえば、上記パラメータは、ユーザ端末において受信したＬＩ情報、ＯＴＡ  ＲＮＴＰ情報などのＦＳＩ情報、この情報の組合せ、および／あるいは干渉に関連する他の受信したデータまたは情報に関係し得る。干渉は、ｅＮＢ１６２０または１８２０などの基地局など、近隣セルのノードに関連し得る。
【０１５０】
段階１９３０において、上記パラメータを、ユーザ端末をサービスする基地局などのネットワークノードに送る。上記パラメータは、本明細書で前に説明したようなリソース区分および割振りを協調させるためにサービング基地局によって使用され得る。
【０１５１】
干渉情報は、たとえば、少なくとも１つのネイバーセルからの信号送信に関係し得る。干渉情報は、サービングセルにおけるアップリンク干渉に関係し得る。干渉情報は、１つまたは複数の負荷インジケータ（ＬＩ）信号に関係し得る。上記受信することは、たとえば、１つまたは複数の負荷インジケータ信号を、１つまたは複数のネイバーセル中で動作する対応する１つまたは複数のネットワークノードから受信することを含み得る。
【０１５２】
上記パラメータは、たとえば、送信電力メトリックを含み得る。上記判断することは、たとえば、１つまたは複数の負荷インジケータ信号に少なくとも部分的に基づいて送信電力メトリックを判断することを含み得る。
【０１５３】
干渉情報は、たとえば、サービングセルによってサービスされるユーザ端末におけるダウンリンク干渉に関係し得る。干渉情報は、１つまたは複数のサブバンドにおける計画された将来のダウンリンク送信に関する情報を含み得る将来スケジューリング情報（ＦＳＩ）に関係し得る。ＦＳＩは、ネイバーセル中の計画されたダウンリンク送信に関係し得るＲＮＴＰ情報を含み得る。
【０１５４】
上記パラメータは、たとえば、調整されたチャネル状態情報（ＣＳＩ）を含み得る。調整されたＣＳＩは、ＦＳＩに少なくとも部分的に基づいて調整され得るＣＱＩ情報を含み得る。調整されたチャネル状態情報は、ＣＱＩと、ＰＭＩと、ＲＩとのうちの１つまたは複数を含み得る。
【０１５５】
図２０に、ＵＥ１８１５などのユーザ端末において調整されたチャネル状態情報（ＣＳＩ）報告（たとえば、ＣＱＩ／ＰＭＩ／ＲＩ情報）を生成するために使用され得るプロセス２０００の一実施形態を示す。段階２０１０において、近隣基地局またはｅＮＢ１８２５など、別のワイヤレスネットワークノードから将来スケジューリング情報（ＦＳＩ）を受信する。ＵＥは、ＦＳＩを受信し、復号し得、ＦＳＩは、たとえば、ＲＮＴＰビットマップなどのＲＮＴＰ情報、または他のリソース要素、またはサブバンドマップ、またはサブバンド使用およびタイミング情報に関するデータを含む情報として、フォーマットされ得る。たとえば、ＲＮＴＰビットマップは、前に説明したように、特定の（１つまたは複数の）サブバンドの使用に関する情報（たとえば、オン／オフ、または電力密度レベル）、ならびに関連するタイミング情報を含み得る。
【０１５６】
段階２０２０において、ＵＥにおいてＣＳＩ情報を生成する。これは、たとえば、チャネル品質インジケータ（ＣＱＩ）情報、プリコーディング行列インジケータ（ＰＭＩ）情報、および／またはランクインジケータ（ＲＩ）情報を含み得る。
【０１５７】
段階２０３０において、受信したＦＳＩに少なくとも部分的に基づいて、調整されたＣＳＩ情報を生成するようにＣＳＩ情報を調整またはスケーリングする。調整されたＣＳＩ情報は、たとえば、信号および干渉レベルなどの予測された将来のチャネル特性に関するデータまたは情報の調整を含み得る。たとえば、調整されたＣＳＩ情報中の調整されたＣＱＩデータは、より高いＭＣＳをサブバンドがサポートし得、それにより、サービングｅＮＢが（たとえば、サブバンドにおいてより多くのデータをスケジュールすることなどによって）将来のデータ送信を相応に調整することが可能になることを示し得る。
【０１５８】
概して、調整されたＣＳＩ報告タイミングは、ＵＥからの過剰なＣＳＩ報告を回避するために比較的遅い（たとえば、数十または数百ミリ秒程度）ように構成され得る。場合によっては、より速い報告が使用され得（たとえば、１ｍＳ程度）、ただし、これは、極めて頻繁な報告を必要とすることになり、オーバーヘッドの理由、電力消費などのために、望ましくないことがある。
【０１５９】
段階２０４０において、次いで、調整されたＣＳＩ情報をｅＮＢなどのサービング基地局に送る。次いで、サービング基地局は、調整されたＣＳＩ情報を使用して、将来のダウンリンクスケジューリングを判断し得、これは、将来スケジューリング情報に少なくとも部分的に基づいて調整され得る（たとえば、ネイバー基地局からの将来スケジューリング情報に基づいて協調され得る）。
【０１６０】
場合によっては、ＦＳＩ／ＲＮＴＰの送信は省略され得る。たとえば、基準信号（たとえば、共通基準信号（ＣＲＳ））電力がサブバンドにわたってスケーリングされた場合、ＦＳＩの送信は必要とされないことがある。この場合、基地局は、システム帯域幅にわたって一定の電力密度で送信していない（たとえば、いくつかのサブバンドは、より低い電力でのサブバンドであり、一部のサブバンドは、より高い電力でのサブバンドである）。ＵＥにおいて、どのサブバンドが、および／またはどの相対電力レベルで、ネイバーセルによって使用されているのかに関する判断が行われ得る。次いで、これは、ＵＥによって与えられた調整されたＣＳＩ報告情報に組み込まれ得る。代替的に、ＵＥは、単に通常の様式でＣＳＩ情報をｅＮＢに報告し得、次いで、ｅＮＢは、どのサブバンドが、およびどの１つ（または複数の）電力レベルで、ネイバーセルによって使用されているのかに関する判断を行い得る。
【０１６１】
図２１に、それぞれ図１６および図１８のｅＮＢ１６１０または１８１０などの基地局などにおいて干渉情報に基づいて送信をスケジュールするためのプロセス２１００の一実施形態の詳細を示す。段階２１１０において、たとえば、ＵＥ１６１５または１８１５など、ユーザ端末から与えられた受信情報に基づいて干渉情報を判断する。受信情報は、たとえば、ＬＩ情報、ＦＳＩ情報、ＬＩ情報とＦＳＩ情報の両方、および／あるいは他のデータまたは情報に関係し得る。
【０１６２】
段階２１２０において、判断された干渉情報に少なくとも部分的に基づいて被サービスセル内の１つまたは複数の信号送信をスケジュールする。信号送信は、たとえば被サービスＵＥからサービング基地局へのアップリンク送信、および／またはサービング基地局から被サービスＵＥなどへのダウンリンク送信に関係し得る。
【０１６３】
干渉情報は、たとえば、サービングセル中のサービング基地局において経験されるアップリンク干渉の量に対応する干渉値を含み得る。本プロセスは、干渉値をターゲット値と比較することと、比較することに基づいて、近隣セル中の１つまたは複数のデバイスに少なくとも１つの負荷インジケータ（ＬＩ）信号を通信することとをさらに含み得る。少なくとも１つの負荷インジケータ信号は、無線（ＯＴＡ）シグナリングを使用して近隣セルに通信され得る。
【０１６４】
本プロセスは、たとえば、被サービスＵＥから送信電力メトリックを受信することをさらに含み得る。上記スケジュールすることは、送信電力メトリックに少なくとも部分的に基づいて、被サービスＵＥのためのアップリンクスケジューリング割当てを生成することをさらに含み得る。本プロセスは、近隣セル中の１つまたは複数のノードにリソース区分要求を通信することをさらに含み得る。本プロセスは、リソース区分応答を受信することをさらに含み得る。リソース区分要求は、サービングセルと近隣セルとの間のアップリンクサブバンド区分に関係し得る。
【０１６５】
上記スケジュールすることは、たとえば、サービングセルとネイバーセルとの間のアップリンク通信リソースの区分に基づき得る。上記区分はあらかじめ判断され、サービングセルとネイバーセルとに通信され得る。代替または追加として、上記区分は、サービングセル中の被サービスユーザ端末から与えられた情報に基づいて動的に判断され得る。代替または追加として、上記区分は、サービングセルとネイバーセルとの間でネゴシエートされ得る。
【０１６６】
干渉情報は、たとえば、ネイバーセルからの１つまたは複数のダウンリンク信号の送信において使用されるべきリソースに関係し得る。干渉情報は、サービングセル中でサービスされるユーザ端末において経験されるダウンリンク干渉の予想される量に関係し得る。干渉情報は、たとえば、ネイバーセルの１つまたは複数のサブバンドにおける将来の送信に関連する相対狭帯域送信電力（ＲＮＴＰ）情報に関係し得る。ＲＮＴＰ情報は、無線（ＯＴＡ）シグナリングを使用して近隣セルから送られ得る。
【０１６７】
本プロセスは、たとえば、被サービスＵＥから調整されたチャネル状態情報（ＣＳＩ）を受信することをさらに含み得る。上記スケジュールすることは、調整されたＣＳＩに少なくとも部分的に基づいて、サービング基地局のためのダウンリンクスケジュールを生成することを含み得る。ダウンリンクスケジュールは、サービングセルとネイバーセルとの間のサブバンドリソース区分に基づき得る。
【０１６８】
本プロセスは、たとえば、近隣セル中の１つまたは複数のノードにリソース区分要求を通信することをさらに含み得る。本プロセスは、リソース区分応答を受信することをさらに含み得る。リソース区分要求は、サービングセルと近隣セルとの間の提案されたダウンリンクサブバンド区分に関係し得る。
【０１６９】
上記スケジュールすることは、たとえば、サービングセルと近隣セルとの間のダウンリンク通信リソースのネゴシエートされた区分に部分的に基づき得る。上記区分はあらかじめ判断され、サービングセルとネイバーセルとに通信され得る。代替または追加として、上記区分はあらかじめ判断され、サービングセルとネイバーセルとに通信される。代替または追加として、上記区分は、サービングセル中の被サービスユーザ端末から与えられた情報に基づいて動的に判断され得る。代替または追加として、上記区分は、サービングセルとネイバーセルとの間でネゴシエートされ得る。
【０１７０】
図２２に、図１８のｅＮＢ１８１０またはｅＮＢ１８２０などの基地局によって行われ得るような、将来スケジューリング情報（ＦＳＩ）の送信を実行するためのプロセス２２００の一実施形態の詳細を示す。段階２２１０において、基地局において将来スケジューリング情報を生成する。この情報は、たとえば、ＵＥ１８１５などの被サービスＵＥおよび／またはＵＥ１８２０などの近隣セル基地局など、別のネットワークノードから、あるいは他のネットワークノードから、受信した干渉協調情報に部分的に基づいて、生成され得る。いくつかの実装形態では、ＦＳＩは、基地局において単独で生成され、別のネットワークノードから受信した特定の干渉協調情報に基づかないことがある。
【０１７１】
ＦＳＩは、たとえば、図２０に関して前に説明したように、計画された将来のリソース使用のオン／オフビットマップなどの、特定のサブバンドの意図された将来の使用を定義するＲＮＴＰビットマップなど、ＲＮＴＰ情報の形態であり得る。たとえば、ビットマップは、あらかじめ定義された無線フレームまたはあらかじめ定義された数の無線フレームにおいて、物理ダウンリンク共有チャネル（ＰＤＳＣＨ）上などでの、データ送信のためのサブバンドの使用を示し得る。一実装形態では、ＲＮＴＰビットマップは、あらかじめ定義されたＲＢ領域において予約済み物理ブロードキャストチャネル（ＰＢＣＨ）ビットおよび／または予約済みＰＤＳＣＨリソースブロック（ＲＢ）を使用し得る。あらかじめ定義されたＲＢ領域は、割り振られたＲＢの中間の６ＲＢ領域であり得る。
【０１７２】
段階２２２０において、ＦＳＩ情報を、基地局によってサービスされるセル中の１つまたは複数のＵＥに、および／または１つまたは複数のネイバーセル中のＵＥに、無線で（ＯＴＡ）送信する。ＵＥがネイバーセル中にある場合、ＵＥは、図２０に関して説明したように、ＦＳＩ情報をＣＳＩ情報などに組み込み、この情報を、近隣セルＵＥをサービスする基地局に与え得る（たとえば、ＵＥ１８２５において基地局１８１０から受信したＦＳＩ情報は、サービング基地局１８２０に報告され得る）。段階２２３０において、ＦＳＩ情報に従って将来のスケジュール送信を基地局から送る。
【０１７３】
ＦＳＩは、たとえば、ＲＮＴＰ情報を含み得る。ＲＮＴＰ情報はＲＮＴＰビットマップであり得る。制御シグナリングは、ＰＤＣＣＨと、ＰＨＩＣＨと、ＰＣＦＣＨとのうちの１つまたは複数を含み得る。制御シグナリングは物理ダウンリンク制御チャネル（ＰＤＣＣＨ）シグナリングであり得る。固定オフセットは、ＣＲＳに対するあらかじめ判断された固定電力オフセットを含み得る。固定オフセットはあらかじめ定義される。代替または追加として、固定オフセットは動的に判断され得る。
【０１７４】
いくつかの実装形態では、ＲＮＴＰビットマップなどのＦＳＩは、擬似ランダムに生成され得、その場合、基地局からＵＥに送信される必要がない。たとえば、一実施形態では、ＵＥは擬似ランダムＲＮＴＰビットマップを生成し得、次いで、ＵＥは、それを使用して現在のＣＳＩ情報（たとえば、ＣＱＩ、ＰＭＩ、ＲＩ）を調整して、調整されたＣＳＩ情報を生成し得、次いで、調整されたＣＳＩ情報は、送信され、関連するサービングｅＮＢによって使用されて、直交化されたデータスケジューリングおよび対応するダウンリンク送信が生成され得る。サービングｅＮＢは、それ自体の計画された送信に関連するＦＳＩ情報をさらに生成し、送り得、ＦＳＩ情報は、近隣セルのＵＥによって受信され、スケジューリングを協調させる際に使用するために近隣セルの対応するｅＮＢに送信され得る。この手法は、Ｘ２またはＳ１接続などを介してダウンリンクスケジューリングを協調させるために、ならびに／あるいは一方または両方のセルからのさらなるＦＳＩ送信に基づいてダウンリンクスケジューリングを反復的に調整するために近隣セルおよび関連する基地局が使用するために、近隣セルとの直接通信と組み合わせられ得る。
【０１７５】
いくつかの実装形態では、基地局またはｅＮＢは、ＦＳＩ情報の送信を省略し、チャネル品質インジケータ基準信号（ＣＱＩ−ＲＳ）を利用し得る。この手法では、ＵＥが相対電力比を使用して適切なＣＱＩを計算することができるようにこの情報をｅＮＢに送信する代わりに、ｅＮＢは、ＣＱＩ基準信号（ＲＱＩ−ＲＳ）として示され得る新しい基準信号の送信電力をスケーリングし得る。この場合、次いで、ＵＥは、既存の測定値を使用してＣＱＩ情報を判断し得る。これを実装するために、ダウンリンクシグナリングおよび関連する基準信号は固定オフセットを有し得る。たとえば、物理ダウンリンク共有チャネル（ＰＤＳＣＨ）リソース要素（ＲＥ）およびチャネル状態情報基準信号（ＣＳＩ−ＲＳ。チャネル状態情報推定において使用するための、ＬＴＥ  Ａｄｖａｎｃｅｄ実装形態のために定義された基準信号）は固定オフセットを有し得る。ＣＱＩ−ＲＳを参照すると、次いで、ＵＥは、何も特別なことをする必要はなく、既存の測定値を利用してＣＱＩを計算するだけである。
【０１７６】
ＦＳＩ／ＲＮＴＰ情報の送信は、異種ネットワーク中などの複数の基地局またはｅＮＢ間で構成され得る。たとえば、構成は、ＦＳＩにおいて報告されているサブバンドの数、ＦＳＩの様々な値が何に関係するのか、たとえば、ＲＮＴＰビットマップ中のＲＮＴＰ値が何に関係するのか（たとえば、チャネルのオン／オフ、値など）に関係する情報を含み得る。たとえば、ＦＳＩ周期性など、他のパラメータも構成され得る。
【０１７７】
場合によっては、構成は、ＯＡ＆Ｍ機能の一部としてまたは他の構成動作中に、あらかじめ定義されるかまたは行われ得る。ただし、一態様によれば、構成は、負荷あるいは他の動作状態またはイベントに基づいて、異種ネットワーク中の基地局の追加または再配置中などに、動的に行われ得る。
【０１７８】
バックホール接続が基地局間で利用可能である場合、ＦＳＩ情報のシグナリングは、Ｓ１接続またはＸ２接続などを介して、バックホールを使用して行われ得る。図２３に、システム１８００と対応し得る、２つのｅＮＢを構成するためのシグナリングの例示的なタイミング図２３００を示し、ＵＥ２３１５はＵＥ１８１５と対応し、ｅＮＢ１８１０および１８２０は、それぞれｅＮＢ２３１０および２３２０と対応する。この例では、ｅＮＢ２３１０は、ｅＮＢ２３２０の近傍で初期化または再配置されていることがある。ｅＮＢ２３１０は、直接あるいはＵＥ２３１５または他のネットワークノードからの通信を介して、シグナリングを監視し、ネイバーセルｅＮＢ２３２０に送信する区分要求メッセージ２３１２を生成し得る。メッセージ２３１２は、たとえば、（図１８に示すような）提案された高および低サブバンド、ＦＳＩ／ＲＮＴＩメッセージング構成情報、ならびに／または他の構成情報など、提案された構成パラメータに関係する情報を含み得る。
【０１７９】
区分要求メッセージ２３１２は、Ｓ１またはＸ２接続などのバックホール接続を介して送られ得る。メッセージ２３１２を受信すると、ｅＮＢ２３２０は、そのメッセージを検討し、いくつかの可能な機能のうちの１つを実行し得る。たとえば、ｅＮＢ２３２０は、リソース区分拒否メッセージ（図示せず）を生成し、ｅＮＢ２３１０によって提案されたリソース区分および／または関連するシグナリングを拒否し得る。
【０１８０】
代替または追加として、ｅＮＢ２３２０は、代替構成（図示せず）あるいは１つまたは複数の代替パラメータを提案し得る。構成要求が受付け可能である場合、ｅＮＢ２３２０は、提案された構成パラメータなどの受付け、および／または代替提案を含み得る、リソース区分応答メッセージ２３２２を送り得る。この往復シグナリングプロセスは、上記構成をさらにネゴシエートするために追加の要求および返答を送ることを含み得る。
【０１８１】
基地局が構成されると、サービングｅＮＢ２３１０は、ｅＮＢ２３１０および２３２０から受信したＦＳＩ／ＲＮＴＰメッセージをＵＥ２３１５が処理することを可能にするようにｅＮＢ２３１０とｅＮＢ２３２０との間でネゴシエートされた構成に関連する情報を含み得る、ＲＲＣ／ＭＡＣ構成メッセージ２３２４を送り得る。次いで、ｅＮＢ２３１０および２３２０は、ネゴシエートされた構成に従ってＦＳＩ／ＲＮＴＰ送信２３１６および２３２６をそれぞれ送り得る。このプロセスは、その後、たとえば、ＵＥ２３１５から報告されたさらなるＣＳＩ情報などに基づいて、繰り返され得る。
【０１８２】
場合によっては、基地局間にバックホール接続が確立されないことがある。この場合、構成は、標準化されるかまたはＯＡ＆Ｍ機能に組み込まれ得る。別の実装形態では、構成情報は、ネイバーセルから送信されるシステム情報ブロック（ＳＩＢ）中の情報要素（ＩＥ）に組み込まれ得る。たとえば、図１８のシステム１８００では、ＵＥ１８２５は、ＳＩＢ２またはＳＩＢ３などのＳＩＢを基地局１８２０から受信し、復号し得、ＳＩＢはＦＳＩ／ＲＮＴＩ構成情報を含む。次いで、ＵＥは、その情報を抽出し、それを使用して、図２０に関して前に説明したような受信したＦＳＩ／ＲＮＴＩ情報を処理し得る。さらに、ＵＥ１８２５は、構成情報をｅＮＢ１８１０に通信し得、そこで、その情報は、直交化区分処理の一部として使用され得る。
【０１８３】
図２４に、ＬＴＥ通信システムであり得る例示的な通信システム２４００における基地局２４１０（すなわち、ｅＮＢまたはＨｅＮＢ）と端末２４５０（すなわち、ユーザ端末、ＡＴまたはＵＥ）との一実施形態のブロック図を示す。これらのシステムは、図１〜図４、図１６、および図１８など、本明細書の他の場所に示すシステムに対応し得、図９〜図１５、および図１９〜図２２において本明細書で前に示したプロセスを実装するように構成され得る。
【０１８４】
送信信号メトリックの受信、ならびにＵＥアップリンクスケジューリングおよびリソース区分の判断、ならびに／または基地局ダウンリンクスケジューリングおよびリソース区分の判断、ならびに本明細書で前に説明した様々な他の機能など、様々な機能が、基地局２４１０中に示すプロセッサおよびメモリにおいて（および／または図示されていない他の構成要素において）実行され得る。
【０１８５】
ＵＥ２４５０は、負荷インジケータ信号、ＦＳＩ／ＲＮＴＰ信号、および／または他のシステムデータの受信および処理など、基地局２４１０から信号を受信してチャネル特性、干渉情報、および／あるいは他のデータまたは情報を判断することと、対応する送信電力メトリック、調整されたＣＳＩ情報などの干渉データおよび情報、ならびに／あるいは電力および干渉レベル情報などの他のデータまたは情報、ならびに／あるいは基地局２４１０または（図２４に示されていない）隣接もしくは近隣セル中の基地局などの他の基地局に関連する他の情報を生成することとを行うための１つまたは複数のモジュールを含み得る。
【０１８６】
一実施形態では、基地局２４１０は、本明細書で前に説明したように、ＵＥ２４５０から受信された情報に基づいて、および／あるいは（図２４に示されていない）別の基地局またはコアネットワーク要素からのバックホールシグナリングから受信された情報に基づいて、スケジューリング情報を生成し得る。これは、プロセッサ２４１４、２４３０およびメモリ２４３２など、基地局２４１０の１つまたは複数の構成要素（または図示されていない他の構成要素）において行われ得る。
【０１８７】
基地局２４１０は、送信モジュール２４２４など、ｅＮＢ２４１０の１つまたは複数の構成要素（または図示されていない他の構成要素）を含む送信モジュールをも含み得る。基地局２４１０は、本明細書で前に説明したような干渉消去機能を与えるための、プロセッサ２４３０、２４４２、復調器モジュール２４４０およびメモリ２４３２などの１つまたは複数の構成要素（または図示されていない他の構成要素）を含む干渉消去モジュールを含み得る。基地局２４１０は、本明細書で前に説明したように区分およびリソース割振り機能を実行するための、ならびに／または送信機モジュールを管理するための、ならびに／またはリソース区分情報に基づいてユーザ端末送信をダイレクトするための、プロセッサ２４３０、２４１４およびメモリ２４３２などの１つまたは複数の構成要素（または図示されていない他の構成要素）を含むリソース区分協調モジュールを含み得る。
【０１８８】
基地局２４１０は、受信機機能を制御するための制御モジュールをも含み得る。基地局２４１０は、コアネットワーク中のバックホールシステム、または図３Ａおよび図３Ｂに示す他の構成要素など、他のシステムとのネットワーキングを与えるためのネットワーク接続モジュール２４９０を含み得る。
【０１８９】
同様に、ＵＥ２４５０は、受信機２４５４など、ＵＥ２４５０の１つまたは複数の構成要素（または図示されていない他の構成要素）を含む受信モジュールを含み得る。ＵＥ２４５０は、プロセッサ２４６０および２４７０、ならびにメモリ２４７２など、ＵＥ２４５０の１つまたは複数の構成要素（または図示されていない他の構成要素）を含む信号情報モジュールをも含み得る。一実施形態では、ＵＥ２４５０において受信された１つまたは複数の信号が処理されて、基地局２４１０および／または他の基地局（図示せず）などのｅＮＢに関するチャネル特性、電力情報、空間情報および／または他の情報が推定される。ＵＥ２４５０に通知されている特定のサブフレーム中に基地局２４１０によって測定が実行され得る。メモリ２４３２および２４７２は、チャネル測定および情報、干渉レベルまたは情報、電力レベルならびに／あるいは空間情報の判断、セルＩＤ判断および選択、セル間協調、干渉消去制御、ならびに本明細書で説明する、干渉の存在下でのリソース割振り、区分、インターレーシング、および関連する信号の送信と受信に関係する他の機能に関連するプロセスを実装するために、プロセッサ２４６０、２４７０および２４３８などの１つまたは複数のプロセッサ上で実行するためのコンピュータコードを記憶するために使用され得る。
【０１９０】
動作中、基地局２４１０において、いくつかのデータストリームのトラフィックデータがデータソース２４１２から送信（ＴＸ）データプロセッサ２４１４に供給され得、そこで、そのトラフィックデータは、処理され、１つまたは複数のＵＥ２４５０に送信され得る。送信されたデータは、インターレースされたサブフレーム送信を与えるために、および／または１つまたは複数のＵＥ２４５０において関連する信号測定を実行するために、本明細書で前に説明したように制御され得る。
【０１９１】
一態様では、各データストリームは、基地局２４１０の（送信機２４２４1〜２４２４Ntとして示される）それぞれの送信機サブシステムを介して処理され、送信される。ＴＸデータプロセッサ２４１４は、コード化データを与えるために、各データストリームのトラフィックデータを、そのデータストリーム用に選択された特定のコーディング方式に基づいて受信し、フォーマットし、コーディングし、インターリーブする。特に、基地局２４１０は、特定の基準信号と基準信号パターンとを判断することと、選択されたパターンにおいて基準信号および／またはビームフォーミング情報を含む送信信号を与えることとを行うように構成され得る。
【０１９２】
各データストリームのコード化データは、ＯＦＤＭ技法を使用してパイロットデータで多重化され得る。パイロットデータは、典型的には、知られている方法で処理される知られているデータパターンであり、チャネル応答を推定するために受信機システムにおいて使用され得る。たとえば、パイロットデータは基準信号を含み得る。パイロットデータは、図２４に示すようにＴＸデータプロセッサ２４１４に供給され、コード化データで多重化され得る。次いで、各データストリームの多重化されたパイロットデータおよびコード化データは、変調シンボルを与えるために、そのデータストリーム用に選択された特定の変調方式（たとえば、ＢＰＳＫ、ＱＳＰＫ、Ｍ−ＰＳＫ、Ｍ−ＱＡＭなど）に基づいて変調（すなわち、シンボルマッピング）され得、データおよびパイロットは、異なる変調方式を使用して変調され得る。各データストリームのデータレート、コーディング、および変調は、メモリ２４３２、あるいはＵＥ２４５０の他のメモリまたは命令記憶媒体（図示せず）に記憶された命令に基づいてプロセッサ２４３０によって実行される命令によって判断され得る。
【０１９３】
次いで、すべてのデータストリームの変調シンボルがＴＸ  ＭＩＭＯプロセッサ２４２０に供給され得、ＴＸ  ＭＩＭＯプロセッサ２４２０はさらに（たとえば、ＯＦＤＭ実装形態用に）その変調シンボルを処理し得る。次いで、ＴＸ  ＭＩＭＯプロセッサ２４２０はＮｔ個の変調シンボルストリームをＮt個の送信機（ＴＭＴＲ）２４２２1〜２４２２Ntに供給し得る。様々なシンボルは、送信のために関連するＲＢにマッピングされ得る。
【０１９４】
ＴＸ  ＭＩＭＯプロセッサ２４３０は、シンボルの送信元の１つまたは複数のアンテナに対応するビームフォーミング重みをデータストリームのシンボルに適用し得る。これは、基準信号によってまたは基準信号とともに与えられたチャネル推定情報、および／あるいはＵＥなどのネットワークノードから与えられた空間情報などの情報を使用することによって行われ得る。たとえば、ビームＢ＝ｔｒａｎｓｐｏｓｅ（［ｂ１  ｂ２  ．．ｂNt］）は、各送信アンテナに対応する重みのセットから構成される。ビームに沿って送信することは、そのアンテナのためのビーム重みによってスケーリングされるすべてのアンテナに沿って変調シンボルｘを送信することに対応し、すなわち、アンテナｔ上で送信信号はｂｔ＊ｘである。複数のビームが送信されるとき、１つのアンテナ上の送信信号は、異なるビームに対応する信号の和である。これは、数学的にＢ１ｘ１＋Ｂ２ｘ２＋ＢＮsｘＮsとして表され得、ただし、Ｎs個のビームが送信され、ｘｉは、ビームＢｉを使用して送られる変調シンボルである。様々な実装形態では、ビームはいくつかの方法で選択され得る。たとえば、ビームは、ＵＥからのチャネルフィードバック、ｅＮＢにおいて利用可能なチャネル知識に基づいて、または隣接するマクロセルなどとともに干渉緩和を可能にするためにＵＥから与えられた情報に基づいて、選択され得る。
【０１９５】
各送信機サブシステム２４２２1〜２４２２Ntは、それぞれのシンボルストリームを受信し、処理して、１つまたは複数のアナログ信号を与え、さらに、それらのアナログ信号を調整（たとえば、増幅、フィルタ処理、およびアップコンバート）して、ＭＩＭＯチャネルを介して送信するのに適した変調信号を与える。次いで、送信機２４２２1〜２４２２NtからのＮt個の変調信号は、それぞれＮt個のアンテナ２４２４1〜２４２４Ntから送信される。
【０１９６】
ＵＥ２４５０において、送信された変調信号はＮr個のアンテナ２４５２1〜２４５２Nrによって受信され、各アンテナ２４５２から受信された信号は、それぞれの受信機（ＲＣＶＲ）２４５４1〜２４５２Nrに供給される。各受信機２４５４は、それぞれの受信信号を調整（たとえば、フィルタ処理、増幅、およびダウンコンバート）し、調整された信号をデジタル化して、サンプルを与え、さらにそれらのサンプルを処理して、対応する「受信」シンボルストリームを与える。
【０１９７】
次いで、ＲＸデータプロセッサ２４６０は、特定の受信機処理技法に基づいてＮr個の受信機２４５４1〜２４５２NrからＮr個の受信シンボルストリームを受信し、処理して、Ｎs個の「検出」シンボルストリームを与えて、Ｎs個の送信シンボルストリームの推定値を与える。次いで、ＲＸデータプロセッサ２４６０は、各検出シンボルストリームを復調し、デインターリーブし、復号して、データストリームのトラフィックデータを復元する。ＲＸデータプロセッサ２４６０による処理は、一般に、基地局２４１０においてＴＸ  ＭＩＭＯプロセッサ２４２０およびＴＸデータプロセッサ２４１４によって実行される処理を補足するものである。
【０１９８】
プロセッサ２４７０は、以下でさらに説明するように使用するためにプリコーディング行列を周期的に判断し得る。次いで、プロセッサ２４７０は、行列インデックス部分とランク値部分とを含み得るアップリンクメッセージを作成し得る。様々な態様では、アップリンクメッセージは、通信リンクおよび／または受信データストリームに関する様々なタイプの情報を含み得る。次いで、アップリンクメッセージは、データソース２４３６からいくつかのデータストリームのトラフィックデータをも受信し得るＴＸデータプロセッサ２４３８によって処理され得、そのトラフィックデータは、次いで、変調器２４８０によって変調され、送信機２４５４1〜２４５４Nrによって調整され、基地局２４１０に戻され得る。基地局２４１０に戻された情報は、基地局２４１０からの干渉を緩和するためにビームフォーミングを行うための電力レベルおよび／または空間情報を含み得る。
【０１９９】
基地局２４１０において、ＵＥ２４５０からの変調信号は、アンテナ２４２４によって受信され、受信機２４２２によって調整され、復調器２４４０によって復調され、ＲＸデータプロセッサ２４４２によって処理されて、ＵＥ２４５０によって送信されたメッセージが抽出される。次いで、プロセッサ２４３０は、ビームフォーミング重みを判断するためにどのプリコーディング行列を使用すべきかを判断し、次いで、抽出されたメッセージを処理する。
【０２００】
いくつかの実装形態では、本明細書で説明する装置およびモジュールは、ＵＥあるいは他の固定デバイスまたはモバイルデバイスとともに採用され得、たとえば、ＳＤカード、ネットワークカード、ワイヤレスネットワークカード、（ラップトップ、デスクトップ、携帯情報端末ＰＤＡを含む）コンピュータ、モバイルフォン、スマートフォン、またはネットワークにアクセスするために利用され得る任意の他の好適なデバイスなどのモジュールとして実装され得ることに留意されたい。ＵＥはアクセス構成要素を介してネットワークにアクセスし得る。
【０２０１】
一例では、ＵＥとアクセス構成要素との間の接続は本質的にワイヤレスであり得、アクセス構成要素はサービングｅＮＢ（または他の基地局）であり得、モバイルデバイスはワイヤレス端末であり得る。たとえば、端末と基地局とは、限定はしないが、時間分割多元接続（ＴＤＭＡ）、符号分割多元接続（ＣＤＭＡ）、周波数分割多元接続（ＦＤＭＡ）、直交周波数分割多重（ＯＦＤＭ）、ＦＬＡＳＨ  ＯＦＤＭ、直交周波数分割多元接続（ＯＦＤＭＡ）を含む、任意の好適なワイヤレスプロトコル、または任意の他の好適なプロトコルを介して通信し得る。
【０２０２】
アクセス構成要素は、ワイヤードネットワークまたはワイヤレスネットワークに関連付けられたアクセスノードとすることができる。そのために、アクセス構成要素は、たとえば、ルータ、スイッチなどとすることができる。アクセス構成要素は、他のネットワークノードと通信するための１つまたは複数のインターフェース、たとえば、通信モジュールを含むことができる。さらに、アクセス構成要素はセルラーネットワーク中のｅＮＢなどの基地局（または他のワイヤレスアクセスポイント）とすることができ、基地局（またはワイヤレスアクセスポイント）は複数の加入者にワイヤレスカバレージエリアを与えるために利用される。
【０２０３】
いくつかの構成では、ワイヤレス通信のための装置は、本明細書で説明する様々な機能を実行するための手段を含む。一態様では、上述の手段は、図１６〜図１８に示すような実施形態が常駐し、上述の手段によって具陳される機能を実行するように構成された、１つまたは複数のプロセッサおよび関連メモリであり得る。上述の手段は、たとえば、本明細書に図示し、本明細書で説明するセル間干渉関係の機能を実行するように構成されたような、ＵＥ、ｅＮＢまたは他のネットワークノード中に常駐する、モジュールまたは装置であり得る。別の態様では、上述の手段は、上述の手段によって具陳される機能を実行するように構成されたモジュールまたは任意の装置であり得る。
【０２０４】
１つまたは複数の例示的な実施形態では、説明した機能、方法およびプロセスは、ハードウェア、ソフトウェア、ファームウェア、またはそれらの任意の組合せで実装され得る。ソフトウェアで実装される場合、機能は、コンピュータ可読媒体上に記憶されるか、あるいは１つまたは複数の命令またはコードとして符号化され得る。コンピュータ可読媒体はコンピュータ記憶媒体を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を含むことができる。本明細書で使用するディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピー（登録商標）ディスク（disk）およびブルーレイ（登録商標）ディスク（disc）を含み、ディスク（disk）は、通常、データを磁気的に再生し、ディスク（disc）は、データをレーザで光学的に再生する。上記の組合せもコンピュータ可読媒体の範囲内に含めるべきである。
【０２０５】
開示するプロセスおよび方法におけるステップまたは段階の特定の順序または階層は、例示的な手法の例であることを理解されたい。設計上の選好に基づいて、プロセス中のステップの特定の順序または階層は本開示の範囲内のまま再構成され得ることを理解されたい。添付の方法クレームは、様々なステップの要素を例示的な順序で提示したものであり、提示された特定の順序または階層に限定されるものではない。
【０２０６】
情報および信号は多種多様な技術および技法のいずれかを使用して表され得ることを、当業者は理解されよう。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【０２０７】
さらに、本明細書で開示する実施形態に関して説明する様々な例示的な論理ブロック、モジュール、回路、およびアルゴリズムステップは、電子ハードウェア、コンピュータソフトウェア、または両方の組合せとして実装され得ることを、当業者なら諒解されよう。ハードウェアとソフトウェアのこの互換性を明確に示すために、様々な例示的な構成要素、ブロック、モジュール、回路、およびステップについて、上記では概してそれらの機能に関して説明した。そのような機能をハードウェアとして実装するか、ソフトウェアとして実装するかは、特定の適用例および全体的なシステムに課せられた設計制約に依存する。当業者は、説明した機能を特定の適用例ごとに様々な方法で実装し得るが、そのような実装の決定は、本開示の範囲からの逸脱を生じるものと解釈すべきではない。
【０２０８】
本明細書で開示する実施形態に関して説明する様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明する機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【０２０９】
本明細書で開示する実施形態に関して説明する方法、プロセスまたはアルゴリズムのステップまたは段階は、直接ハードウェアで実施されるか、プロセッサによって実行されるソフトウェアモジュールで実施されるか、またはその２つの組合せで実施され得る。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当技術分野で知られている任意の他の形態の記憶媒体中に常駐し得る。例示的な記憶媒体は、プロセッサが記憶媒体から情報を読み取り、記憶媒体に情報を書き込むことができるように、プロセッサに結合される。代替として、記憶媒体はプロセッサに一体化され得る。プロセッサおよび記憶媒体はＡＳＩＣ中に常駐し得る。ＡＳＩＣはユーザ端末中に常駐し得る。代替として、プロセッサおよび記憶媒体は、ユーザ端末中に個別構成要素として常駐し得る。
【０２１０】
特許請求の範囲は、本明細書で示した態様に限定されるものではなく、特許請求の範囲の言い回しに矛盾しない全範囲を与えられるべきであり、単数形の要素への言及は、そのように明記されていない限り、「唯一無二の」を意味するものではなく、「１つまたは複数の」を意味するものである。別段に明記されていない限り、「いくつかの」という用語は「１つまたは複数の」を指す。項目のリスト「のうちの少なくとも１つ」を指す句は、個々のメンバーを含む、それらの項目の任意の組合せを指す。一例として、「ａ、ｂ、またはｃのうちの少なくとも１つ」は、ａ、ｂ、ｃ、ａおよびｂ、ａおよびｃ、ｂおよびｃ、ならびにａ、ｂおよびｃをカバーするものとする。
【０２１１】
開示する態様の前述の説明は、当業者が本開示を実施または使用できるように与えたものである。これらの態様への様々な修正は当業者には容易に明らかとなり、本明細書で定義した一般原理は、本開示の趣旨または範囲から逸脱することなく他の態様に適用され得る。したがって、本開示は、本明細書で示した態様に限定されるものではなく、本明細書で開示する原理および新規の特徴に一致する最も広い範囲を与えられるべきである。以下の特許請求の範囲およびそれらの等価物は本開示の範囲を定義するものとする。
【図１】
2013517741.tif 000009
【図２】
2013517741.tif 000010
【図３Ａ】
2013517741.tif 000011
【図３Ｂ】
2013517741.tif 000012
【図４】
2013517741.tif 000013
【図５】
2013517741.tif 000014
【図６】
2013517741.tif 000015
【図７】
2013517741.tif 000016
【図８】
2013517741.tif 000017
【図９】
2013517741.tif 000018
【図１０】
2013517741.tif 000019
【図１１】
2013517741.tif 000020
【図１２】
2013517741.tif 000021
【図１３】
2013517741.tif 000022
【図１４】
2013517741.tif 000023
【図１５】
2013517741.tif 000024
【図１６】
2013517741.tif 000025
【図１７】
2013517741.tif 000026
【図１８】
2013517741.tif 000027
【図１９】
2013517741.tif 000028
【図２０】
2013517741.tif 000029
【図２１】
2013517741.tif 000030
【図２２】
2013517741.tif 000031
【図２３】
2013517741.tif 000032
【図２４】
2013517741.tif 000033
【国際調査報告】
2013517741.tif 000034
2013517741.tif 000035
2013517741.tif 000036
2013517741.tif 000037